(57)【特許請求の範囲】
【請求項１】
無線通信のための装置であって、
前記装置とデバイスとの間でスピードフレーム交換の一部として交換されているフレームの第１のシーケンスのうちのデータフレームの応答指示フィールドの少なくとも１つのビットの値によって、前記装置がフレームの第２のシーケンスの後続のスピードフレーム交換を開始しているかどうかを示すように構成された処理システムと、ここにおいて、前記処理システムは、前記応答指示フィールドの前記少なくとも１つのビットを、前記装置が前記後続のスピードフレーム交換を開始していることを示すためにＬｏｎｇ  Ｒｅｓｐｏｎｓｅに関連付けられた値に設定するように構成され、
前記データフレームを前記デバイスに送信するように構成された送信機と、
前記データフレームの送信後に、フレームの前記第２のシーケンスのうちの少なくとも１つのフレームを前記デバイスから受信するように構成された受信機と、
を備え、
前記処理システムは、
フレームの前記第２のシーケンスのうちの前記少なくとも１つのフレームの応答指示フィールドの少なくとも１つのビットの値がＩｍｍｅｄｉａｔｅ  Ｒｅｓｐｏｎｓｅに関連付けられる場合、フレームの前記第２のシーケンスのうちの前記少なくとも１つのフレームがバースト応答の最後のフレームであると決定することと、
フレームの前記第２のシーケンスのうちの前記少なくとも１つのフレームの前記応答指示フィールドの前記少なくとも１つのビットの前記値がＮｏ  Ｒｅｓｐｏｎｓｅに関連付けられる場合、フレームの前記第２のシーケンスのうちの前記少なくとも１つのフレームが前記バースト応答の前記最後のフレームではないと決定することと、
前記少なくとも１つのフレームが前記バースト応答の前記最後のフレームであると決定される場合、フレームの前記第２のシーケンスのうちの前記少なくとも１つのフレームに応答して、フレームの前記第２のシーケンスのうちの少なくとも別のフレームを生成することと、
を行うようにさらに構成され、
前記送信機は、前記少なくとも１つのフレームが前記バースト応答の前記最後のフレームであると決定される場合、フレームの前記第２のシーケンスのうちの前記少なくとも別のフレームを前記デバイスに送信するようにさらに構成される、装置。
【請求項２】
前記受信機は、１に設定されたＭｏｒｅＤａｔａフィールドを有するフレームを受信するようにさらに構成され、
前記処理システムは、前記データフレームの前記応答指示フィールドの前記少なくとも１つのビットを、１に設定された前記ＭｏｒｅＤａｔａフィールドを有する前記フレームを受信した後に、Ｌｏｎｇ  Ｒｅｓｐｏｎｓｅに関連付けられた前記値に設定するようにさらに構成される、請求項１に記載の装置。
【請求項３】
前記処理システムは、フレームの前記第２のシーケンスのうちのデータフレームの応答指示フィールドの少なくとも１つのビットを、前記装置がフレームの第３のシーケンスの後続のスピードフレーム交換を開始していないことを示すために固定された持続時間を有する応答のタイプに関連付けられた値に設定するようにさらに構成され、
前記送信機は、フレームの前記第２のシーケンスのうちの前記データフレームを前記デバイスに送信するようにさらに構成される、請求項１に記載の装置。
【請求項４】
前記受信機は、０に設定されたＭｏｒｅＤａｔａフィールドを有するフレームを受信するようにさらに構成され、
前記処理システムは、フレームの前記第２のシーケンスのうちの前記データフレームの前記応答指示フィールドの前記少なくとも１つのビットを、０に設定された前記ＭｏｒｅＤａｔａフィールドを有する前記フレームを受信した後に、前記固定された持続時間を有する前記応答のタイプに関連付けられた前記値に設定するようにさらに構成される、請求項３に記載の装置。
【請求項５】
前記処理システムは、フレームの前記第２のシーケンスのうちのデータフレームの応答指示フィールドの少なくとも１つのビットを、前記装置がフレームの第３のシーケンスの後続のスピードフレーム交換を開始していないことを示すためにＮｏ  Ｒｅｓｐｏｎｓｅ、ヌルデータパケット（ＮＤＰ）Ｒｅｓｐｏｎｓｅ、またはＮｏｒｍａｌ  Ｒｅｓｐｏｎｓｅのうちの少なくとも１つに関連付けられた値に設定するようにさらに構成され、
前記送信機は、フレームの前記第２のシーケンスのうちの前記データフレームを前記デバイスに送信するようにさらに構成される、請求項１に記載の装置。
【請求項６】
無線通信のための装置であって、
前記装置とデバイスとの間でスピードフレーム交換の一部として交換されているフレームの第１のシーケンスのうちのデータフレームを受信するように構成された受信機と、
前記データフレームの応答指示フィールドの少なくとも１つのビットの値がＬｏｎｇ  Ｒｅｓｐｏｎｓｅに関連付けられる場合、前記デバイスがフレームの第２のシーケンスの後続のスピードフレーム交換を開始していると決定することと、
前記デバイスが前記後続のスピードフレーム交換を開始していると決定した後に、応答指示フィールドを備える、フレームの前記第２のシーケンスのうちの少なくとも１つのフレームを生成することと、
フレームの前記第２のシーケンスのうちの前記少なくとも１つのフレームの前記応答指示フィールドの少なくとも１つのビットを、フレームの前記第２のシーケンスのうちの前記少なくとも１つのフレームがバースト応答の最後のフレームである場合にはＩｍｍｅｄｉａｔｅ  Ｒｅｓｐｏｎｓｅに関連付けられた値に、またはフレームの前記第２のシーケンスのうちの前記少なくとも１つのフレームが前記バースト応答の前記最後のフレームではない場合にはＮｏ  Ｒｅｓｐｏｎｓｅに関連付けられた値に、設定することと、
を行うように構成された処理システムと、
フレームの前記第２のシーケンスのうちの前記少なくとも１つのフレームを前記デバイスに送信するように構成された送信機と、
を備える、装置。
【請求項７】
装置による無線通信のための方法であって、
前記装置とデバイスとの間でスピードフレーム交換の一部として交換されているフレームの第１のシーケンスのうちのデータフレームの応答指示フィールドの少なくとも１つのビットの値によって、前記装置がフレームの第２のシーケンスの後続のスピードフレーム交換を開始しているかどうかを示すことと、ここにおいて、前記示すことは、前記応答指示フィールドの前記少なくとも１つのビットを、前記装置が前記後続のスピードフレーム交換を開始していることを示すためにＬｏｎｇ  Ｒｅｓｐｏｎｓｅに関連付けられた値に設定することを備え、
前記データフレームを前記デバイスに送信することと、
前記データフレームを送信した後に、フレームの前記第２のシーケンスのうちの少なくとも１つのフレームを前記デバイスから受信することと、
フレームの前記第２のシーケンスのうちの前記少なくとも１つのフレームの応答指示フィールドの少なくとも１つのビットの値がＩｍｍｅｄｉａｔｅ  Ｒｅｓｐｏｎｓｅに関連付けられる場合、フレームの前記第２のシーケンスのうちの前記少なくとも１つのフレームがバースト応答の最後のフレームであると決定することと、
フレームの前記第２のシーケンスのうちの前記少なくとも１つのフレームの前記応答指示フィールドの前記少なくとも１つのビットの前記値がＮｏ  Ｒｅｓｐｏｎｓｅに関連付けられる場合、フレームの前記第２のシーケンスのうちの前記少なくとも１つのフレームが前記バースト応答の前記最後のフレームではないと決定することと、
前記少なくとも１つのフレームが前記バースト応答の前記最後のフレームであると決定される場合、フレームの前記第２のシーケンスのうちの前記少なくとも１つのフレームに応答して、フレームの前記第２のシーケンスのうちの少なくとも別のフレームを生成することと、
前記少なくとも１つのフレームが前記バースト応答の前記最後のフレームであると決定される場合、フレームの前記第２のシーケンスのうちの前記少なくとも別のフレームを前記デバイスに送信することと、
を備える、方法。
【請求項８】
前記データフレームの前記応答指示フィールドの前記少なくとも１つのビットは、１に設定されたＭｏｒｅＤａｔａフィールドを有するフレームを受信した後に、Ｌｏｎｇ  Ｒｅｓｐｏｎｓｅに関連付けられた前記値に設定される、請求項７に記載の方法。
【請求項９】
フレームの前記第２のシーケンスのうちのデータフレームの応答指示フィールドの少なくとも１つのビットを、前記装置がフレームの第３のシーケンスの後続のスピードフレーム交換を開始していないことを示すために固定された持続時間を有する応答のタイプに関連付けられた値に設定することと、
フレームの前記第２のシーケンスのうちの前記データフレームを前記デバイスに送信することと、
をさらに備える、請求項７に記載の方法。
【請求項１０】
フレームの前記第２のシーケンスのうちの前記データフレームの前記応答指示フィールドの前記少なくとも１つのビットは、０に設定されたＭｏｒｅＤａｔａフィールドを有するフレームを受信した後に、固定された持続時間を有する前記応答のタイプに関連付けられた前記値に設定される、請求項９に記載の方法。
【請求項１１】
フレームの前記第２のシーケンスのうちのデータフレームの応答指示フィールドの少なくとも１つのビットを、前記装置がフレームの第３のシーケンスの後続のスピードフレーム交換を開始していないことを示すためにＮｏ  Ｒｅｓｐｏｎｓｅ、ヌルデータパケット（ＮＤＰ）Ｒｅｓｐｏｎｓｅ、またはＮｏｒｍａｌ  Ｒｅｓｐｏｎｓｅのうちの少なくとも１つに関連付けられた値に設定することと、
フレームの前記第２のシーケンスのうちの前記データフレームを前記デバイスに送信することと、
をさらに備える、請求項７に記載の方法。
【請求項１２】
装置による無線通信のための方法であって、
前記装置とデバイスとの間でスピードフレーム交換の一部として交換されているフレームの第１のシーケンスのうちのデータフレームを受信することと、
前記データフレームの応答指示フィールドの少なくとも１つのビットの値がＬｏｎｇ  Ｒｅｓｐｏｎｓｅに関連付けられる場合、前記デバイスがフレームの第２のシーケンスの後続のスピードフレーム交換を開始していると決定することと、
前記デバイスが前記後続のスピードフレーム交換を開始していると決定した後に、応答指示フィールドを備える、フレームの前記第２のシーケンスのうちの少なくとも１つのフレームを生成することと、
フレームの前記第２のシーケンスのうちの前記少なくとも１つのフレームの前記応答指示フィールドの少なくとも１つのビットを、フレームの前記第２のシーケンスのうちの前記少なくとも１つのフレームがバースト応答の最後のフレームである場合にはＩｍｍｅｄｉａｔｅ  Ｒｅｓｐｏｎｓｅに関連付けられた値に、またはフレームの前記第２のシーケンスのうちの前記少なくとも１つのフレームが前記バースト応答の前記最後のフレームではない場合にはＮｏ  Ｒｅｓｐｏｎｓｅに関連付けられた値に、設定することと、
フレームの前記第２のシーケンスのうちの前記少なくとも１つのフレームを前記デバイスに送信することと、
を備える、方法。
【請求項１３】
無線通信のための装置であって、
前記装置とデバイスとの間でスピードフレーム交換の一部として交換されているフレームの第１のシーケンスのうちのデータフレームの応答指示フィールドの少なくとも１つのビットの値によって、前記装置がフレームの第２のシーケンスの後続のスピードフレーム交換を開始しているかどうかを示すための手段と、ここにおいて、示すための前記手段は、前記応答指示フィールドの前記少なくとも１つのビットを、前記装置が前記後続のスピードフレーム交換を開始していることを示すためにＬｏｎｇ  Ｒｅｓｐｏｎｓｅに関連付けられた値に設定するための手段を備え、
前記データフレームを前記デバイスに送信するための手段と、
前記データフレームを送信した後に、フレームの前記第２のシーケンスのうちの少なくとも１つのフレームを前記デバイスから受信するための手段と、
フレームの前記第２のシーケンスのうちの前記少なくとも１つのフレームの応答指示フィールドの少なくとも１つのビットの値がＩｍｍｅｄｉａｔｅ  Ｒｅｓｐｏｎｓｅに関連付けられる場合、フレームの前記第２のシーケンスのうちの前記少なくとも１つのフレームがバースト応答の最後のフレームであると決定するための手段と、
フレームの前記第２のシーケンスのうちの前記少なくとも１つのフレームの前記応答指示フィールドの前記少なくとも１つのビットの前記値がＮｏ  Ｒｅｓｐｏｎｓｅに関連付けられる場合、フレームの前記第２のシーケンスのうちの前記少なくとも１つのフレームが前記バースト応答の前記最後のフレームではないと決定するための手段と、
前記少なくとも１つのフレームが前記バースト応答の前記最後のフレームであると決定される場合、フレームの前記第２のシーケンスのうちの前記少なくとも１つのフレームに応答して、フレームの前記第２のシーケンスのうちの少なくとも別のフレームを生成するための手段と、
前記少なくとも１つのフレームが前記バースト応答の前記最後のフレームであると決定される場合、フレームの前記第２のシーケンスのうちの前記少なくとも別のフレームを前記デバイスに送信するための手段と、
を備える、装置。
【請求項１４】
前記データフレームの前記応答指示フィールドの前記少なくとも１つのビットは、１に設定されたＭｏｒｅＤａｔａフィールドを有するフレームを受信した後に、Ｌｏｎｇ  Ｒｅｓｐｏｎｓｅに関連付けられた前記値に設定される、請求項１３に記載の装置。
【請求項１５】
フレームの前記第２のシーケンスのうちのデータフレームの応答指示フィールドの少なくとも１つのビットを、前記装置がフレームの第３のシーケンスの後続のスピードフレーム交換を開始していないことを示すために固定された持続時間を有する応答のタイプに関連付けられた値に設定するための手段と、
フレームの前記第２のシーケンスのうちの前記データフレームを前記デバイスに送信するための手段と、
をさらに備える、請求項１３に記載の装置。
【請求項１６】
フレームの前記第２のシーケンスのうちの前記データフレームの前記応答指示フィールドの前記少なくとも１つのビットは、０に設定されたＭｏｒｅＤａｔａフィールドを有するフレームを受信した後に、前記固定された持続時間を有する前記応答のタイプに関連付けられた前記値に設定される、請求項１５に記載の装置。
【請求項１７】
フレームの前記第２のシーケンスのうちのデータフレームの応答指示フィールドの少なくとも１つのビットを、前記装置がフレームの第３のシーケンスの後続のスピードフレーム交換を開始していないことを示すためにＮｏ  Ｒｅｓｐｏｎｓｅ、ヌルデータパケット（ＮＤＰ）Ｒｅｓｐｏｎｓｅ、またはＮｏｒｍａｌ  Ｒｅｓｐｏｎｓｅのうちの少なくとも１つに関連付けられた値に設定するための手段と、
フレームの前記第２のシーケンスのうちの前記データフレームを前記デバイスに送信するための手段と、
をさらに備える、請求項１３に記載の装置。
【請求項１８】
無線通信のための装置であって、
前記装置とデバイスとの間でスピードフレーム交換の一部として交換されているフレームの第１のシーケンスのうちのデータフレームを受信するための手段と、
前記データフレームの応答指示フィールドの少なくとも１つのビットの値がＬｏｎｇ  Ｒｅｓｐｏｎｓｅに関連付けられる場合、前記デバイスがフレームの第２のシーケンスの後続のスピードフレーム交換を開始していると決定するための手段と、
前記デバイスが前記後続のスピードフレーム交換を開始していると決定した後に、応答指示フィールドを備える、フレームの前記第２のシーケンスのうちの少なくとも１つのフレームを生成するための手段と、
フレームの前記第２のシーケンスのうちの前記少なくとも１つのフレームの前記応答指示フィールドの少なくとも１つのビットを、フレームの前記第２のシーケンスのうちの前記少なくとも１つのフレームがバースト応答の最後のフレームである場合にはＩｍｍｅｄｉａｔｅ  Ｒｅｓｐｏｎｓｅに関連付けられた値に、またはフレームの前記第２のシーケンスのうちの前記少なくとも１つのフレームが前記バースト応答の前記最後のフレームではない場合にはＮｏ  Ｒｅｓｐｏｎｓｅに関連付けられた値に、設定するための手段と、
フレームの前記第２のシーケンスのうちの前記少なくとも１つのフレームを前記デバイスに送信するための手段と、
を備える、装置。
【請求項１９】
装置が、前記装置とデバイスとの間でスピードフレーム交換の一部として交換されているフレームの第１のシーケンスのうちのデータフレームの応答指示フィールドの少なくとも１つのビットの値によって、前記装置がフレームの第２のシーケンスの後続のスピードフレーム交換を開始しているかどうかを示すことと、ここにおいて、前記示すことは、前記応答指示フィールドの前記少なくとも１つのビットを、前記装置が前記後続のスピードフレーム交換を開始していることを示すためにＬｏｎｇ  Ｒｅｓｐｏｎｓｅに関連付けられた値に設定することを備え、
前記装置が、前記データフレームを前記デバイスに送信することと、
前記装置が、前記データフレームを送信した後に、フレームの前記第２のシーケンスのうちの少なくとも１つのフレームを前記デバイスから受信することと、
前記装置が、フレームの前記第２のシーケンスのうちの前記少なくとも１つのフレームの応答指示フィールドの少なくとも１つのビットの値がＩｍｍｅｄｉａｔｅ  Ｒｅｓｐｏｎｓｅに関連付けられる場合、フレームの前記第２のシーケンスのうちの前記少なくとも１つのフレームがバースト応答の最後のフレームであると決定することと、
前記装置が、フレームの前記第２のシーケンスのうちの前記少なくとも１つのフレームの前記応答指示フィールドの前記少なくとも１つのビットの前記値がＮｏ  Ｒｅｓｐｏｎｓｅに関連付けられる場合、フレームの前記第２のシーケンスのうちの前記少なくとも１つのフレームが前記バースト応答の前記最後のフレームではないと決定することと、
前記装置が、前記少なくとも１つのフレームが前記バースト応答の前記最後のフレームであると決定される場合、フレームの前記第２のシーケンスのうちの前記少なくとも１つのフレームに応答して、フレームの前記第２のシーケンスのうちの少なくとも別のフレームを生成することと、
前記装置が、前記少なくとも１つのフレームが前記バースト応答の前記最後のフレームであると決定される場合、フレームの前記第２のシーケンスのうちの前記少なくとも別のフレームを前記デバイスに送信することと、
を行うためのインストラクションを記憶した、非一時的なコンピュータ読取可能媒体。
【請求項２０】
装置が、前記装置とデバイスとの間でスピードフレーム交換の一部として交換されているフレームの第１のシーケンスのうちのデータフレームを受信することと、
前記装置が、前記データフレームの応答指示フィールドの少なくとも１つのビットの値がＬｏｎｇ  Ｒｅｓｐｏｎｓｅに関連付けられる場合、前記デバイスがフレームの第２のシーケンスの後続のスピードフレーム交換を開始していると決定することと、
前記装置が、前記デバイスが前記後続のスピードフレーム交換を開始していると決定した後に、応答指示フィールドを備える、フレームの前記第２のシーケンスのうちの少なくとも１つのフレームを生成することと、
前記装置が、フレームの前記第２のシーケンスのうちの前記少なくとも１つのフレームの前記応答指示フィールドの少なくとも１つのビットを、フレームの前記第２のシーケンスのうちの前記少なくとも１つのフレームがバースト応答の最後のフレームである場合にはＩｍｍｅｄｉａｔｅ  Ｒｅｓｐｏｎｓｅに関連付けられた値に、またはフレームの前記第２のシーケンスのうちの前記少なくとも１つのフレームが前記バースト応答の前記最後のフレームではない場合にはＮｏ  Ｒｅｓｐｏｎｓｅに関連付けられた値に、設定することと、
前記装置が、フレームの前記第２のシーケンスのうちの前記少なくとも１つのフレームを前記デバイスに送信することと、
を行うためのインストラクションを記憶した、非一時的なコンピュータ読取可能媒体。
【請求項２１】
アクセスポイント（ＡＰ）であって、
少なくとも１つのアンテナと、
前記ＡＰとデバイスとの間でスピードフレーム交換の一部として交換されているフレームの第１のシーケンスのうちのデータフレームの応答指示フィールドの少なくとも１つのビットの値によって、前記ＡＰがフレームの第２のシーケンスの後続のスピードフレーム交換を開始しているかどうかを示すように構成された処理システムと、ここにおいて、前記処理システムは、前記応答指示フィールドの前記少なくとも１つのビットを、前記ＡＰが前記後続のスピードフレーム交換を開始していることを示すためにＬｏｎｇ  Ｒｅｓｐｏｎｓｅに関連付けられた値に設定するように構成され、
前記データフレームを前記少なくとも１つのアンテナを介して前記デバイスに送信するように構成された送信機と、
前記データフレームの送信後に、フレームの前記第２のシーケンスのうちの少なくとも１つのフレームを前記デバイスから前記少なくとも１つのアンテナを介して受信するように構成された受信機と、
を備え、
前記処理システムは、
フレームの前記第２のシーケンスのうちの前記少なくとも１つのフレームの応答指示フィールドの少なくとも１つのビットの値がＩｍｍｅｄｉａｔｅ  Ｒｅｓｐｏｎｓｅに関連付けられる場合、フレームの前記第２のシーケンスのうちの前記少なくとも１つのフレームがバースト応答の最後のフレームであると決定することと、
フレームの前記第２のシーケンスのうちの前記少なくとも１つのフレームの前記応答指示フィールドの前記少なくとも１つのビットの前記値がＮｏ  Ｒｅｓｐｏｎｓｅに関連付けられる場合、フレームの前記第２のシーケンスのうちの前記少なくとも１つのフレームが前記バースト応答の前記最後のフレームではないと決定することと、
前記少なくとも１つのフレームが前記バースト応答の前記最後のフレームであると決定される場合、フレームの前記第２のシーケンスのうちの前記少なくとも１つのフレームに応答して、フレームの前記第２のシーケンスのうちの少なくとも別のフレームを生成することと、
を行うようにさらに構成され、
前記送信機は、前記少なくとも１つのフレームが前記バースト応答の前記最後のフレームであると決定される場合、フレームの前記第２のシーケンスのうちの前記少なくとも別のフレームを前記少なくとも１つのアンテナを介して前記デバイスに送信するようにさらに構成される、ＡＰ。
【請求項２２】
ステーション（ＳＴＡ）であって、
少なくとも１つのアンテナと、
前記ＳＴＡとデバイスとの間でスピードフレーム交換の一部として交換されているフレームの第１のシーケンスのうちのデータフレームを前記少なくとも１つのアンテナを介して受信するように構成された受信機と、
前記データフレームの応答指示フィールドの少なくとも１つのビットの値がＬｏｎｇ  Ｒｅｓｐｏｎｓｅに関連付けられる場合、前記デバイスがフレームの第２のシーケンスの後続のスピードフレーム交換を開始していると決定することと、
前記デバイスが前記後続のスピードフレーム交換を開始していると決定した後に、応答指示フィールドを備える、フレームの前記第２のシーケンスのうちの少なくとも１つのフレームを生成することと、
フレームの前記第２のシーケンスのうちの前記少なくとも１つのフレームの前記応答指示フィールドの少なくとも１つのビットを、フレームの前記第２のシーケンスのうちの前記少なくとも１つのフレームがバースト応答の最後のフレームである場合にはＩｍｍｅｄｉａｔｅ  Ｒｅｓｐｏｎｓｅに関連付けられた値に、またはフレームの前記第２のシーケンスのうちの前記少なくとも１つのフレームが前記バースト応答の前記最後のフレームではない場合にはＮｏ  Ｒｅｓｐｏｎｓｅに関連付けられた値に、設定することと、
を行うように構成された処理システムと、
フレームの前記第２のシーケンスのうちの前記少なくとも１つのフレームを前記少なくとも１つのアンテナを介して前記デバイスに送信するように構成された送信機と、
を備える、ＳＴＡ。
【発明の詳細な説明】
【技術分野】
【０００１】
関連出願の相互参照
[0001]本出願は、２０１３年８月３１日に出願された米国仮特許出願第６１／８７２，７０６号、２０１３年９月１日に出願された米国仮特許出願第６１／８７２，７２１号、および２０１４年８月２８日に出願された米国特許出願第１４／４７２，０１９号の利益を主張し、これらの出願はいずれも、参照によってこの全体が本明細書に組み込まれる。
【０００２】
[0002]本開示の特定の態様は、一般に、ワイヤレス通信に関し、より詳しくは、スピードフレーム交換に関するルールに関する。
【背景技術】
【０００３】
[0003]ワイヤレス通信ネットワークが、音声、映像、パケットデータ、メッセージング、放送、などの種々の通信サービスを提供するために広く展開されている。これらのワイヤレスネットワークは、利用可能なネットワークリソースを共有することによって複数のユーザをサポートすることができる多元接続ネットワークであり得る。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
[0004]より大きいカバレッジおよび増加した通信範囲に関する要望に対処するために、種々のスキームが開発されている。このようなスキームの１つは、電気電子技術者協会（ＩＥＥＥ）の８０２．１１ａｈタスクフォースによって開発中のサブ１ＧＨｚの周波数範囲（例えば、米国においては９０２〜９２８ＭＨｚの範囲で動作する）である。この開発は、他のＩＥＥＥ８０２．１１のグループよりも大きいワイヤレス範囲を有し、妨害損失がより小さい周波数範囲を利用したいという願望にもとづいている。
【発明の概要】
【０００５】
[0005]本開示の特定の態様は、スピードフレーム交換のための技術および装置を提供した。
【０００６】
[0006]本開示の態様は、ワイヤレス通信のための装置を提供する。本装置は、一般に、装置とデバイスとの間で交換されているフレームのシーケンスのうちのフレームのフィールドの少なくとも１つのビットの値によって、装置がフレームのシーケンスの後続の交換を開始しているか否かを示すように構成された処理システムと、フレームをデバイスに送信するように構成された送信機とを含む。
【０００７】
[0007]本開示の態様は、ワイヤレス通信のための方法を提供する。本方法は、一般に、装置とデバイスとの間で交換されているフレームのシーケンスのうちのフレームのフィールドの少なくとも１つのビットの値によって、装置がフレームのシーケンスの後続の交換を開始しているか否かを示すことと、フレームをデバイスに送信することとを含む。
【０００８】
[0008]本開示の態様は、ワイヤレス通信のための装置を提供する。本装置は、一般に、装置とデバイスとの間で交換されているフレームのシーケンスのうちのフレームのフィールドの少なくとも１つのビットの値によって、装置がフレームのシーケンスの後続の交換を開始しているか否かを示すための手段と、フレームをデバイスに送信するための手段とを含む。
【０００９】
[0009]本開示の態様は、インストラクションが記憶されたコンピュータ読取可能媒体を有するワイヤレス通信のためのコンピュータプログラム製品を提供する。本インストラクションは、一般に、装置とデバイスとの間で交換されているフレームのシーケンスのうちのフレームのフィールドの少なくとも１つのビットの値によって、装置がフレームのシーケンスの後続の交換を開始しているか否かを示すことと、フレームをデバイスに送信することと、を行うためのインストラクションを含む。
【００１０】
[0010]本開示の態様は、アクセスポイント（ＡＰ）を提供する。本ＡＰは、一般に、少なくとも１つのアンテナと、ＡＰとデバイスとの間で交換されているフレームのシーケンスのうちのフレームのフィールドの少なくとも１つのビットの値によって、ＡＰがフレームのシーケンスの後続の交換を開始しているか否かを示すように構成された処理システムと、フレームを少なくとも１つのアンテナを介してデバイスに送信するように構成された送信機とを含む。
【００１１】
[0011]本開示の態様は、ワイヤレス通信のための装置を提供する。本装置は、一般に、装置とデバイスとの間で交換されているフレームのシーケンスのうちのフレームを受信するように構成された受信機と、フレームのフィールドの少なくとも１つのビットの値によって、デバイスがフレームのシーケンスの後続の交換を開始しているか否かを決定するように構成された処理システムとを含む。
【００１２】
[0012]本開示の態様は、ワイヤレス通信のための方法を提供する。本方法は、一般に、装置とデバイスとの間で交換されているフレームのシーケンスのうちのフレームを受信することと、フレームのフィールドの少なくとも１つのビットの値によって、デバイスがフレームのシーケンスの後続の交換を開始しているか否かを決定することとを含む。
【００１３】
[0013]本開示の態様は、ワイヤレス通信のための装置を提供する。本装置は、一般に、装置とデバイスとの間で交換されているフレームのシーケンスのうちのフレームを受信するための手段と、フレームのフィールドの少なくとも１つのビットの値によって、デバイスがフレームのシーケンスの後続の交換を開始しているか否かを決定するための手段とを含む。
【００１４】
[0014]本開示の態様は、インストラクションが記憶されたコンピュータ読取可能媒体を有するワイヤレス通信のためのコンピュータプログラム製品を提供する。本インストラクションは、一般に、装置とデバイスとの間で交換されているフレームのシーケンスのうちのフレームを受信することと、フレームのフィールドの少なくとも１つのビットの値によって、デバイスがフレームのシーケンスの後続の交換を開始しているか否かを決定することと、を行うためのインストラクションを含む。
【００１５】
[0015]本開示の態様は、ユーザ端末（ＵＴ）を提供する。本ＵＴは、一般に、少なくとも１つのアンテナと、ＵＴとデバイスとの間で交換されているフレームのシーケンスのうちのフレームを少なくともアンテナを介して受信するように構成された受信機と、フレームのフィールドの少なくとも１つのビットの値によって、デバイスがフレームのシーケンスの後続の交換を開始しているか否かを決定するように構成された処理システムとを含む。
【００１６】
[0016]方法、装置、システム、コンピュータプログラム製品、および処理システムを含む多数の他の態様が提供される。
【００１７】
[0017]本開示の上述の特徴が詳しく理解されることができるような方法で、上記簡潔に要約されたより特定の説明が、一部が添付の図面に示されているいくつかの態様を参照して、行われ得る。しかしながら、添付の図面が、本開示の特定の典型的な態様を示しているにすぎず、したがってその範囲を限定するものと考えられるべきではなく、本明細書は他の同様に有効な態様を容認し得ることに、留意されるべきである。
【図面の簡単な説明】
【００１８】
【図１】[0018]図１は、本開示の特定の態様による典型的なワイヤレス通信ネットワークの図を示している。
【図２】[0019]図２は、本開示の特定の態様による典型的なアクセスポイントおよびユーザ端末のブロック図を示している。
【図３】[0020]図３は、本開示の特定の態様による典型的なワイヤレスデバイスのブロック図を示している。
【図４】[0021]図４は、スピードフレーム交換の例を示している。
【図５】図５は、スピードフレーム交換の例を示している。
【図６】図６は、スピードフレーム交換の例を示している。
【図７】[0022]図７は、本開示の態様による典型的なスピードフレームを示している。
【図８】[0023]図８は、本開示の特定の態様によるスピードフレームイニシエータによるワイヤレス通信の典型的な動作のブロック図を示している。
【図８Ａ】[0024]図８Ａは、図８に示した動作を実行することができる典型的な手段を示している。
【図９】[0025]図９は、本開示の特定の態様によるスピードフレームレスポンダ（a speed frame responder）によるワイヤレス通信の典型的な動作のブロック図を示している。
【図９Ａ】[0026]図９Ａは、図９に示した動作を実行することができる典型的な手段を示している。
【発明を実施するための形態】
【００１９】
[0027]本開示の特定の態様は、スピードフレーム交換のための技術および装置ならびにスピードフレーム交換に関するルールを提供した。
【００２０】
[0028]本開示の種々の態様が、添付の図面を参照して以下でさらに詳しく説明される。しかしながら、本開示は、多数の異なる形態にて具現化され得、本開示を通して提示されるいかなる特定の構造または機能にも限定されるものと解釈されるべきではない。むしろ、それらの態様は、本開示が徹底的かつ完全なものとなり、当業者に本開示の範囲を十分に伝えるように提供されている。本明細書の教示にもとづき、当業者は、本開示の範囲が、本開示の任意の他の態様から独立して実施されようと、本開示の任意の他の態様と組み合わされて実施されようと、本明細書に開示された開示のあらゆる態様をカバーするように意図されていることを、理解すべきである。例えば、本明細書において説明される任意の数の態様を使用して、装置が実現され、方法が実行され得る。さらに、本開示の範囲は、他の構造、機能、または本明細書において説明される本開示の種々の態様に加えた、あるいは本明細書において説明される本開示の種々の態様以外の構造および機能を使用して実施されるような装置および方法もカバーするように意図される。本明細書に開示される本開示の任意の態様が、請求項の１つ以上の要素によって具現化され得ることを、理解されるべきである。
【００２１】
[0029]特定の態様が本明細書において説明されるが、それらの態様の多数の変形および置換が、本開示の範囲に包含される（fall within）。好ましい態様のいくつかの利益および利点が言及されるが、本開示の範囲は、特定の利益、用途、または目的に限定されるように意図されるものではない。むしろ、本開示の態様は、種々のワイヤレス技術、システム、構成、ネットワーク、および送信プロトコルに広く適用可能であるように意図され、それらの一部が、図面および以下の好ましい態様の説明に例として示される。詳細な説明および図面は、限定するのではなく、単に本開示の例示にすぎず、本開示の範囲は、添付の特許請求の範囲およびこの均等物によって定義される。
【００２２】
[0030]下記に挙げられる頭字語が、ワイヤレス通信の分野における一般的に認められた用法に一致して、本明細書において使用され得る。他の頭字語も、本明細書において使用される得、下記の列挙に定義されていない場合、本明細書において最初に現れた場所で定義される。
ＡＣＫ  肯定応答
Ａ−ＭＰＤＵ  アグリゲートされたメディアアクセス制御プロトコルデータユニット
ＡＰ  アクセスポイント
ＢＡ  ブロックＡＣＫ
ＢＡＲ  ブロックＡＣＫ要求
ＣＲＣ  巡回冗長検査
ＤＩＦＳ  分散されたインターフレームスペース（Distributed Interface Space）
ＥＯＦ  フレームの終了
ＥＩＦＳ  拡張されたインターフレームスペース
ＦＣＳ  フレーム検査シーケンス
ＩＤ  識別子
ＩＥＥＥ  電気電子技術者協会
ＬＴＦ  ロングトレーニングフィールド
ＭＡＣ  メディアアクセス制御
ＭＳＢ  最上位ビット
ＭＩＭＯ  多入力多出力
ＭＰＤＵ  ＭＡＣプロトコルデータユニット
ＭＵ  マルチユーザ
ＭＵ−ＭＩＭＯ  マルチユーザ多入力多出力
ＮＤＰ  ヌルデータパケット
ＯＦＤＭ  直交周波数分割変調
ＯＦＤＭＡ  直交周波数分割変調多元接続
ＰＨＹ  物理層
ＰＬＣＰ  物理層コンバージェンスプロトコル（Physical Layer Convergence Protocol）
ＰＰＤＵ  ＰＬＣＰプロトコルデータユニット
ＰＳＤＵ  ＰＬＣＰサービスデータユニット
ＱｏＳ  サービス品質
ＲＤＧ  逆方向グラント（Reverse Direction Grant）
ＳＤＭＡ  空間分割多元接続
ＳＩＦＳ  ショートインターフレームスペース
ＳＩＧ  信号（例えば、サブ１ＧＨｚ）
ＳＴＡ  ステーション
ＳＴＢＣ  時空間ブロックコーディング（Space-Time Block coding）
ＳＴＦ  ショートトレーニングフィールド
ＳＵ  シングルユーザ
ＴＣＰ  送信制御プロトコル
ＶＨＴ  超高スループット（Very High Throughput）
ＷＬＡＮ  ワイヤレスローカルエリアネットワーク
【００２３】
[0031]本明細書に記載の技術は、直交多重化スキームにもとづく通信システムを含む、種々のブロードバンドワイヤレス通信システムのために使用され得る。このような通信システムの例は、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システム、などを含む。ＳＤＭＡシステムは、複数のユーザ端末に属するデータを同時に送信するために十分に異なる方向を利用し得る。ＴＤＭＡシステムは、送信信号を異なる時間スロットに分割することによって、複数のユーザ端末が同じ周波数チャネルを共有することを可能にし得、各々の時間スロットは異なるユーザ端末に割り当てられている。ＯＦＤＭＡシステムは、全体としてのシステムの帯域幅を複数の直交するサブキャリアに区分する変調技術である直交周波数分割多重化（ＯＦＤＭ）を利用する。これらのサブキャリアはまた、トーン、ビン、などと呼ばれ得る。ＯＦＤＭにおいて、各々のサブキャリアは、別個独立にデータで変調され得る。ＳＣ−ＦＤＭＡシステムは、システムの帯域幅を横切って分散されるサブキャリアにおいて送信するためにインターリーブドＦＤＭＡ（ＩＦＤＭＡ）を使用し、隣接するサブキャリアのブロックにおいて送信するためにローカライズドＦＤＭＡ（ＬＦＤＭＡ）を使用し、あるいは隣接するサブキャリアの複数のブロックにおいて送信するためにエンハンスドＦＤＭＡ（ＥＦＤＭＡ）を利用し得る。一般に、変調シンボルは、ＯＦＤＭを用いて周波数ドメインにおいて送られ、ＳＣ−ＦＤＭＡを用いて時間ドメインにおいて送られる。
【００２４】
[0032]本明細書における教示は、種々のワイヤードまたはワイヤレス装置（例えば、ノード）に組み込まれ（例えば、それらの中に実装、またはそれらによって実行され）得る。いくつかの態様において、本明細書における教示に従って実現されるワイヤレスノードが、アクセスポイントまたはアクセス端末を備え得る。
【００２５】
[0033]アクセスポイント（「ＡＰ」）は、ノードＢ、無線ネットワークコントローラ（「ＲＮＣ」）、エボルブドノードＢ（ｅＮＢ）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張されたサービスセット（「ＥＳＳ」）、無線基地局（「ＲＢＳ］）、または何らかの他の術語を備え、これらとして実現され、またはこれらとして知られ得る。
【００２６】
[0034]アクセス端末（「ＡＴ」）は、加入者局、加入者ユニット、移動局（ＭＳ）、リモート局、リモート端末、ユーザ端末（ＵＴ）、ユーザエージェント、ユーザデバイス、ユーザ機器（ＵＥ）、ユーザステーション、または何らかの他の術語を備え、これらとして実現され、またはこれらとして知られ得る。いくつかのインプリメンテーション（implementations）において、アクセス端末は、セルラ電話機、コードレス電話機、セッション・イニシエーション・プロトコル（「ＳＩＰ」）電話機、ワイヤレスローカルループ（「ＷＬＬ」）局、携帯情報端末（「ＰＤＡ」）、ワイヤレス接続能力を有するハンドヘルドデバイス、ステーション（「ＳＴＡ」）、またはワイヤレスモデムに接続された何らかの他の適切な処理デバイスを備え得る。したがって、本明細書において教示される１つ以上の態様は、電話機（例えば、セルラ電話機またはスマートフォン）、コンピュータ（例えば、ラップトップ）、タブレット、携帯通信デバイス、携帯コンピューティングデバイス（例えば、携帯情報端末）、娯楽デバイス（例えば、音楽または映像デバイス、あるいは衛星無線機）、全地球測位システム（ＧＰＳ）デバイス、あるいはワイヤレスまたはワイヤード媒体を介して通信するように構成された任意の他の適切なデバイスに組み込まれ得る。いくつかの態様において、ノードはワイヤレスノードである。このようなワイヤレスノードは、例えば、ワイヤードまたはワイヤレス通信リンクを介するネットワーク（例えば、インターネットまたはセルラネットワークなどの広域ネットワーク）に関する接続（connectivity）、またはこのようなネットワークへの接続を提供し得る。
【００２７】
[0035]典型的なワイヤレス通信システム
図１は、アクセスポイントとユーザ端末とを有する多元接続多入力多出力（ＭＩＭＯ）システム１００を示している。簡単のために、図１において、アクセスポイント１１０が１つだけ示されている。アクセスポイントは、一般に、ユーザ端末と通信する固定局であり、基地局または、何らかの他の術語でも呼ばれ得る。ユーザ端末は、固定（fixed）、または可動（mobile）であり得、移動局、ワイヤレスデバイスまたは、何らかの他の術語でも呼ばれ得る。アクセスポイント１１０は、ダウンリンクおよびアップリンクにおいて任意の所与の瞬間において１つ以上のユーザ端末１２０と通信し得る。ダウンリンク（すなわち、順方向リンク）は、アクセスポイントからユーザ端末への通信リンクであり、アップリンク（すなわち、逆方向リンク）は、ユーザ端末からアクセスポイントへの通信リンクである。ユーザ端末はまた、別のユーザ端末とピアツーピアの通信を行い得る。システムコントローラ１３０が、アクセスポイントに結合し、アクセスポイントに関する協調および制御を提供する。
【００２８】
[0036]以下の開示のいくつかの部分は、空間分割多元接続（ＳＤＭＡ）によって通信を行うことができるユーザ端末１２０を説明するが、特定の態様において、ユーザ端末１２０はまた、ＳＤＭＡをサポートしないいくつかのユーザ端末を含み得る。したがって、このような態様において、ＡＰ１１０は、ＳＤＭＡおよび非ＳＤＭＡの両方のユーザ端末と通信するように構成され得る。この手法は、企業（an enterprise）においてより古いバージョンのユーザ端末（「レガシー」局）が使用され続けることで、それらの有用な寿命を延ばすことを好都合に可能にしつつ、より新しいＳＤＭＡユーザ端末が適切であるとみなされるように導入されることを、好都合に可能にし得る。
【００２９】
[0037]ＭＩＭＯシステム１００は、ダウンリンクおよびアップリンクにおけるデータ送信のために複数の送信および複数の受信アンテナを使用する。アクセスポイント１１０は、Ｎａｐ個のアンテナを備え、ダウンリンク送信のための多入力（ＭＩ）およびアップリンク送信のための多出力（ＭＯ）を表す。Ｋ個の選択されたユーザ端末１２０のセットが、ダウンリンク送信のための多出力およびアップリンク送信のための多入力を集合的に表す。純粋なＳＤＭＡでは、Ｋ個のユーザ端末のためのデータシンボルストリームが何らかの手段によって符号、周波数、または時間において多重化されない場合、Ｎａｐ≧Ｋ≧１を有することが望ましい。データシンボルストリームがＴＤＭＡ技術、ＣＤＭＡで異なる符号チャネル、ＯＦＤＭで互いに素であるサブバンドのセット（disjoint sets of subbands）、などを使用して多重化されることができる場合、ＫはＮａｐよりも大きくあり得る。各々の選択されたユーザ端末が、ユーザ特有のデータをアクセスポイントに送信し、および／またはユーザ特有のデータをアクセスポイントから受信する。一般に、各々の選択されたユーザ端末は、１つまたは複数のアンテナ（すなわち、Ｎｕｔ≧１）を備え得る。Ｋ個の選択されたユーザ端末は、同じ数または異なる数のアンテナを有することができる。
【００３０】
[0038]ＳＤＭＡシステムは、時分割複信（ＴＤＤ）システムまたは周波数分割複信（ＦＤＤ）システムであり得る。ＴＤＤシステムにおいては、ダウンリンクおよびアップリンクが、同じ周波数帯を共有する。ＦＤＤシステムにおいては、ダウンリンクおよびアップリンクが、異なる周波数帯を使用する。ＭＩＭＯシステム１００は、送信のために単一のキャリアまたは複数のキャリアを利用することもできる。各々のユーザ端末は、（例えば、コストを低く抑えるために）単一のアンテナを備え得、または（例えば、追加のコストがサポートされることができる場合）複数のアンテナを備え得る。ＭＩＭＯシステム１００はまた、ユーザ端末１２０が送信／受信を異なる時間スロットに分割することによって同じ周波数チャネルを共有し、各々の時間スロットが異なるユーザ端末１２０に割り当てられている場合、ＴＤＭＡシステムであり得る。
【００３１】
[0039]図２は、ＭＩＭＯシステム１００におけるアクセスポイント１１０ならびに２つのユーザ端末１２０ｍおよび１２０ｘのブロック図を示している。アクセスポイント１１０は、Ｎｔ個のアンテナ２２４ａ〜２２４ｔを備える。ユーザ端末１２０ｍは、Ｎｕｔ．ｍ個のアンテナ２５２ｍａ〜２５２ｍｕを備え、ユーザ端末１２０ｘは、Ｎｕｔ，ｘ個のアンテナ２５２ｘａ〜２５２ｘｕを備える。アクセスポイント１１０は、ダウンリンクのための送信エンティティおよびアップリンクのための受信エンティティである。各々のユーザ端末１２０は、アップリンクのための送信エンティティおよびダウンリンクのための受信エンティティである。本明細書において使用されるとき、「送信エンティティ」は、ワイヤレスチャネルを介してデータを送信することができる独立して動作される装置またはデバイスであり、「受信エンティティ」は、ワイヤレスチャネルを介してデータを受信することができる独立して動作される装置またはデバイスである。以下の説明において、下付き文字の「ｄｎ」は、ダウンリンクを指し、下付き文字の「ｕｐ」は、アップリンクを指し、Ｎｕｐ個のユーザ端末が、アップリンクにおける同時送信のために選択され、Ｎｄｎ個のユーザ端末が、ダウンリンクにおける同時受信のために選択され、Ｎｕｐは、Ｎｄｎに等しくても、等しくなくてもよく、ＮｕｐおよびＮｄｎは、静的な値であっても、各々のスケジューリング間隔毎に変化してもよい。ビームステアリング（beam-steering）または何らかの他の空間的処理技術は、アクセスポイントおよびユーザ端末において使用され得る。
【００３２】
[0040]アップリンクに関して、アップリンク送信のために選択された各々のユーザ端末１２０において、送信（ＴＸ）データプロセッサ２８８が、データソース２８６からのトラフィックデータおよびコントローラ２８０からの制御データを受け取る。ＴＸデータプロセッサ２８８は、ユーザ端末のために選択されたレートに関連付けられたコーディングおよび変調スキームにもとづいてユーザ端末のためにトラフィックデータを処理（例えば、符号化、インターリーブ、および変調）し、データシンボルストリームを提供する。ＴＸ空間プロセッサ２９０は、データシンボルストリームについて空間的処理を実行し、Ｎｕｔ．ｍ個のアンテナのためにＮｕｔ．ｍ個の送信シンボルストリームを提供する。各々の送信機ユニット（ＴＭＴＲ）２５４は、それぞれの送信シンボルストリームを受け取って処理し（例えば、アナログへの変換、増幅、フィルタ処理、および周波数のアップコンバートを行い）、アップリンク信号を生成する。Ｎｕｔ．ｍ個の送信機ユニット２５４は、Ｎｕｔ．ｍ個のアンテナ２５２からアクセスポイントへの送信のためにＮｕｔ．ｍ個のアップリンク信号を提供する。
【００３３】
[0041]Ｎｕｐ個のユーザ端末は、アップリンクにおける同時送信のためにスケジューリングされ得る。これらのユーザ端末の各々は、そのデータシンボルストリームについて空間的処理を実行し、アップリンクにおいてアクセスポイントに送信シンボルストリームのそのセットを送信する。
【００３４】
[0042]アクセスポイント１１０において、Ｎａｐ個のアンテナ２２４ａ〜２２４ａｐは、アップリンクにおいて送信中のＮｕｐ個のすべてのユーザ端末からアップリンク信号を受信する。各々のアンテナ２２４が、受信された信号を、それぞれの受信機ユニット（ＲＣＶＲ）２２２に提供する。各々の受信機ユニット２２２は、送信機ユニット２５４によって実行された処理と相補的な処理を実行し、受信されたシンボルストリームを提供する。ＲＸ空間プロセッサ２４０が、Ｎａｐ個の受信機ユニット２２２からのＮａｐ個の受信されたシンボルストリームについて受信機空間処理を実行し、Ｎｕｐ個のリカバーされた（recovered）アップリンクデータシンボルストリームを提供する。受信機空間処理は、チャネル相間行列反転（ＣＣＭＩ）、最小平均二乗誤差（ＭＭＳＥ）、ソフト干渉除去（ＳＩＣ）、または何らかの他の技術に従って実行される。各々のリカバーされたアップリンクデータシンボルストリームは、それぞれのユーザ端末によって送信されたデータシンボルストリームの推定である。ＲＸデータプロセッサ２４２は、各々のリカバーされたアップリンクデータシンボルストリームを、復号されたデータを得るためにそのストリームのために用いられたレートに従って処理する（例えば、復調、デインターリーブ、および復号を行う）。各々のユーザ端末のための復号されたデータは、記憶のためにデータシンク２４４に提供され得、および／またはさらなる処理のためにコントローラ２３０に提供され得る。
【００３５】
[0043]ダウンリンクに関して、アクセスポイント１１０において、ＴＸデータプロセッサ２１０は、ダウンリンク送信のためにスケジューリングされたＮｄｎ個のユーザ端末のためのデータソース２０８からのトラフィックデータと、コントローラ２３０からの制御データと、おそらくはスケジューラ２３４からの他のデータとを受け取る。種々のタイプのデータは、異なるトランスポートチャネルにおいて送られ得る。ＴＸデータプロセッサ２１０は、各々のユーザ端末のためのトラフィックデータを、このユーザ端末のために選択されたレートにもとづいて処理する（例えば、符号化、インターリーブ、および変調を行う）。ＴＸデータプロセッサ２１０は、Ｎｄｎ個のユーザ端末のためにＮｄｎ個のダウンリンクデータシンボルストリームを提供する。ＴＸ空間プロセッサ２２０が、Ｎｄｎ個のダウンリンクデータシンボルストリームについて空間的処理（本開示に記載のとおりのプレコーディングまたはビームフォーミングなど）を実行し、Ｎａｐ個のアンテナのためにＮａｐ個の送信シンボルストリームを提供する。各々の送信機ユニット２２２は、それぞれの送信シンボルストリームを受け取って処理し、ダウンリンク信号を生成する。Ｎａｐ個の送信機ユニット２２２は、Ｎａｐ個のアンテナ２２４からユーザ端末への送信のためにＮａｐ個のダウンリンク信号を提供する。
【００３６】
[0044]各々のユーザ端末１２０において、Ｎｕｔ，ｍ個のアンテナ２５２は、アクセスポイント１１０からＮａｐ個のダウンリンク信号を受信する。各々の受信機ユニット２５４は、関連するアンテナ２５２から受信された信号を処理し、受信されたシンボルストリームを提供する。ＲＸ空間プロセッサ２６０は、Ｎｕｔ，ｍ個の受信機ユニット２５４からのＮｕｔ，ｍ個の受信されたシンボルストリームについて受信機空間処理を実行し、ユーザ端末についてのリカバーされたダウンリンクデータシンボルストリームを提供する。受信機空間処理は、ＣＣＭＩ、ＭＭＳＥ、または何らかの他の技術に従って実行される。ＲＸデータプロセッサ２７０は、リカバーされたダウンリンクデータシンボルストリームを処理し（例えば、復調、デインターリーブ、および復号を行い）、ユーザ端末のために復号されたデータを得る。
【００３７】
[0045]各々のユーザ端末１２０において、チャネル推定器２７８は、ダウンリンクチャネル応答を推定し、チャネル利得推定、ＳＮＲ推定、雑音変動（noise variance）、などを含む得るダウンリンクチャネル推定を提供する。同様に、チャネル推定器２２８は、アップリンクチャネル応答を推定し、アップリンクチャネル推定を提供する。各々のユーザ端末に関するコントローラ２８０は、典型的には、ユーザ端末についての空間フィルタ行列を、このユーザ端末についてのダウンリンクチャネル応答行列Ｈｄｎ，ｍにもとづいて導出する。コントローラ２３０は、アクセスポイントについての空間フィルタ行列を、有効アップリンクチャネル応答行列（effective uplink channel response matrix）Ｈｕｐ，ｅｆｆにもとづいて導出する。各々のユーザ端末に関するコントローラ２８０は、アクセスポイントにフィードバック情報（例えば、ダウンリンクおよび／またはアップリンクの固有ベクトル（eigenvectors）、固有値（eigenvalues）、ＳＮＲ推定、など）を送り得る。コントローラ２３０および２８０はまた、アクセスポイント１１０およびユーザ端末１２０のそれぞれにおける種々の処理ユニットの動作を制御する。
【００３８】
[0046]図３は、ＭＩＭＯシステム１００内で使用され得るワイヤレスデバイス３０２において利用され得る種々の構成要素を示している。ワイヤレスデバイス３０２は、本明細書に記載の種々の方法を実行するように構成され得るデバイスの例である。ワイヤレスデバイス３０２は、アクセスポイント１１０またはユーザ端末１２０であり得る。
【００３９】
[0047]ワイヤレスデバイス３０２は、ワイヤレスデバイス３０２の動作を制御するプロセッサ３０４を含み得る。プロセッサ３０４はまた、中央演算処理装置（ＣＰＵ）と称され得る。読み出し専用メモリ（ＲＯＭ）およびランダムアクセスメモリ（ＲＡＭ）の両方を含む得るメモリ３０６は、プロセッサ３０４にインストラクションおよびデータを提供する。メモリ３０６の一部は、不揮発性ランダムアクセスメモリ（ＮＶＲＡＭ）を含み得る。プロセッサ３０４は、典型的には、メモリ３０６内に記憶されたプログラムインストラクションにもとづいて論理および算術演算を実行する。メモリ３０６内のインストラクションは、本明細書に記載の方法を実施するために実行可能であり得る。
【００４０】
[0048]ワイヤレスデバイス３０２はまた、ワイヤレスデバイス３０２とリモートロケーションとの間でのデータの送信および受信を可能にするための送信機３１０および受信機３１２を含み得るハウジング３０８を含み得る。送信機３１０および受信機３１２は、トランシーバ３１４内に組み合わされ得る。単一のまたは複数の送信アンテナ３１６は、ハウジング３０８に取り付けされ得、トランシーバ３１４に電気的に結合され得る。ワイヤレスデバイス３０２はまた、複数の送信機、複数の受信機、および複数のトランシーバ（図示せず）を含み得る。
【００４１】
[0049]ワイヤレスデバイス３０２はまた、トランシーバ３１４によって受信される信号のレベルを検出して定量化する試みにおいて使用することができる信号検出器３１８を含むことができる。信号検出器３１８は、このような信号を、総エネルギ（total energy）、シンボル毎のサブキャリア毎のエネルギ（energy per subcarrier per symbol）、電力スペクトル密度（power spectral density）、および他の信号として検出し得る。ワイヤレスデバイス３０２はまた、信号の処理において使用するためのデジタル信号プロセッサ（ＤＳＰ）３２０を含み得る。
【００４２】
[0050]ワイヤレスデバイス３０２の種々の構成要素は、データバスに加えて電力バス、制御信号バス、および状態信号バスを含むことができるバスシステム３２２によって互いに結合され得る。
【００４３】
[0051]典型的なスピードフレーム交換
本開示の態様は、スピードフレーム（ＳＦ）交換機構（双方向送信機会（ＢＤＴ）とも称される）において使用されるべきフレームの識別を可能にし得、スピードフレーム動作のためのルールも提供し得るソリューションを提供する。
【００４４】
[0052]スピードフレーム交換は、一般に、デバイス（例えば、サブ１ＧＨｚ（Ｓ１Ｇ）のアクセスポイント（ＡＰ）およびＳ１Ｇの非ＡＰステーション（ＳＴＡ））がショートインターフレームスペース（ＳＩＦＳ）時間によって隔てられたアップリンクおよびダウンリンク物理層コンバージェンスプロシージャ（ＰＬＣＰ）プロトコルデータユニット（ＰＰＤＵ）のシーケンスの交換を行うことを可能にする。ＳＦ交換動作は、アップリンクおよびダウンリンクの両方のチャネルアクセスを組み合わせて１対のこのようなデバイス（例えば、Ｓ１Ｇ  ＳＴＡ）の間の連続的なフレーム交換シーケンスにし得る。
【００４５】
[0053]図４〜６は、スピードフレーム交換の例を示している。ＳＴＡは、バッファされたＵＬトラフィックを有する場合に、図４に示されるように、（不定期自動節電配信（Ｕ−ＡＰＳＤ）によってサポートされる）ＰＳ−ＰＯＬＬの代わりに、ＵＬデータによるＡＰへのスピードフレーム交換４００を開始し得る。例えば、図４に示されるように、４０２において、ＳＴＡは（例えば、スケジュールされた起動時間（a scheduled wake up time）において）スリープから起動し（awake）得る。プローブ遅延の後に、４０４において、ＳＴＡはＵＬ  ＤＡＴＡを送信し得る。特定の態様によれば、ＵＬデータは、ＡＰが応答フレームビットを正しく設定することを可能にするために使用されるＭｏｒｅＤａｔａビットを含み得る。例えば、ＭｏｒｅＤａｔａビットは、ＳＴＡが送られるべきさらなるデータ（more data）を有している旨を示すために１に設定され得る。ＳＩＦＳ時間の後で、ＡＰは、４０６においてＳＴＡに肯定応答（ＡＣＫ）を送ることによって応答し得る。ＡＰは、受信されたＭｏｒｅＤａｔａにもとづいて、ＳＴＡからさらなるデータが予想されることを知り得る。別のＳＩＦＳ時間の後で、ＳＴＡは、４０８においてＡＰにさらなるＵＬデータを送信し得る。ＳＴＡが送られるべきさらなるデータを有さない場合、ＡＰは、ＭｏｒｅＤａｔａを０に設定し得る。４１０において、ＳＩＦＳ時間の後で、ＡＰは、別のＡＣＫを送り得る。４１２において、ＳＴＡは、スリープに戻り得る。
【００４６】
[0054]図５および６に示されるように、ＡＰもＳＴＡに送信すべきＤＬデータを有する場合、ＡＰは、ＡＰがＡＣＫをＳＴＡへと戻す代わりに、バッファされたＤＬデータを送り得る。例えば、図５に示されるフレーム交換５００にて、５０２において、ＳＴＡは（例えば、スケジュールされた起動時間において）スリープから起動され得る。スピードフレーム交換４００と同様に、ＳＴＡは、５０４においてＡＰにＵＬデータを送り得、ＵＬデータは、ＳＴＡが送信すべきさらなるデータを有していることを示すために１に設定されたＭｏｒｅＤａｔａビットを含み得る。この場合に、ＡＰは、ＳＴＡに送信すべきＤＬデータを有し得、ＳＩＦＳ時間の後に、５０６においてＡＣＫの代わりにＤＬデータをＳＴＡに送信することによって応答し得る。ＤＬデータは、ＡＰがＳＴＡに送信すべきさらなるデータを有していることを示すために１に設定されたＭｏｒｅＤａｔａビットを含み得る。特定の態様によれば、ＳＴＡが５０８においてＡＰに送らなければならない最後のデータを送るときに、それをＡＰに示すためにＭｏｒｅＤａｔａビットは０に設定され得る。５１０において、ＡＰは、その最後のＤＬデータを送り得、それをＳＴＡに示すためにＭｏｒｅＤａｔａを０に設定し得る。５１２において、ＳＴＡはＡＣＫを送り得、次いで５１４において、ＳＴＡは、（０に設定されたＡＰからのＭｏｒｅＤａｔａによって示されるとおり）最後のＤＬデータが届けられたがゆえにスリープに戻り得る。
【００４７】
[0055]いくつかの場合には、ＡＰはＡＣＫを戻さないが、次のＤＡＴＡフレームの存在が、前のフレームが成功であったことを示している（例えば、黙示のＡＣＫ）。いくつかの場合、ブロック肯定応答（ＢＡ）は、データに組み合わされ得る（例えば、アグリゲートメディアアクセス制御（ＭＡＣ）ＰＤＵ（Ａ−ＭＰＤＵ）の内部）。
【００４８】
[0056]図６に示したフレーム交換６００に示されるとおり、ＳＴＡは、６０２において起動した後で、６０４において、ＡＰからビーコンを受信し得る。ビーコンは、トラフィック指示マップ（ＴＩＭ）ビットを含み得る。ＴＩＭビットにもとづき、ＳＴＡは、（たとえＳＴＡがＭｏｒｅＤａｔａビットを受信していなくても）ＡＰが送るべきＤＬデータを有していることを知り得、したがって６０６においてそれがＵＬデータを送るときにそのＲｅｓｐｏｎｓｅＦｒａｍｅビットを相応に設定し得る。
【００４９】
[0057]特定の態様によれば、ＳＦ交換（例えば、図４〜６にそれぞれ示したＳＦ交換４００、ＳＦ交換５００、またはＳＦ交換６００）に関与するＳＴＡ（例えば、ＡＰまたは非ＡＰ）は、例えばＳＦ交換のための特定のルールに従って進行中のＳＦ交換（an undergoing SF exchange）をシグナリングするためにＦｒａｍｅ  Ｃｏｎｔｒｏｌフィールド、ＰＬＣＰ  Ｈｅａｄｅｒ  Ｓｉｇｎａｌフィールド、およびヌルデータパケット（ＮＤＰ）ＭＡＣフレームに存在する情報を使用し得る。ＳＦ交換は、競合ベースのチャネルアクセスの数を最小限にし得、フレーム交換の数を減らすことによってチャネル効率を改善でき、起動する時間（awake times）を短くすることによってＳＴＡの電力の消費を減らすことができる。
【００５０】
[0058]特定の態様によれば、ＳＦ交換は、Ｌｏｎｇ  ＲｅｓｐｏｎｓｅのＲｅｓｐｏｎｓｅ  Ｉｎｄｉｃａｔｉｏｎを運ぶフレームによって開始され得る。特定の態様によれば、フレームは、任意の値に等しいＡＣＫポリシーフィールドを有するサービス品質（ＱｏＳ）データＭＰＤＵ、任意の値に等しいＡＣＫポリシーフィールドを有するＳｈｏｒｔ  Ｄａｔａ  ＭＰＤＵ、（Ｓｈｏｒｔ）Ｍａｎａｇｅｍｅｎｔフレーム、高スループット（ＨＴ）イミディエイト（ｉｍｍｅｄｉａｔｅ）Ｂｌｏｃｋ  Ａｃｋアグリーメントに関するＢｌｏｃｋＡｃｋＲｅｑフレーム、ＰＳ−Ｐｏｌｌフレーム、Ｔｒｉｇｇｅｒフレーム、またはＮＤＰ  Ｍｏｄｉｆｉｅｄ  ＡＣＫであり得る。
【００５１】
[0059]特定の態様によれば、（例えば、通常の応答の持続時間に対する）Ｌｏｎｇ  ＲｅｓｐｏｎｓｅのＲｅｓｐｏｎｓｅ  Ｉｎｄｉｃａｔｉｏｎは、非ＮＤＰフレームについてＴＸＶＥＣＴＯＲのパラメータＲＥＳＰＯＮＳＥ＿ＩＮＤＩＣＡＴＩＯＮをＬｏｎｇ  Ｒｅｓｐｏｎｓｅに設定し、ＮＤＰ（Ｍｏｄｉｆｉｅｄ）ＡＣＫについてＤｕｒａｔｉｏｎ  Ｉｎｄｉｃａｔｉｏｎフィールドを１に、Ｄｕｒａｔｉｏｎフィールドを１に設定することによって、シグナリングされ得る。
【００５２】
[0060]特定の態様によれば、Ｎｏ  ＲｅｓｐｏｎｓｅのＲｅｓｐｏｎｓｅ  Ｉｎｄｉｃａｔｉｏｎは、非ＮＤＰフレームについてＴＸＶＥＣＴＯＲのパラメータＲＥＳＰＯＮＳＥ＿ＩＮＤＩＣＡＴＩＯＮをＮｏ  Ｒｅｓｐｏｎｓｅに設定し、ＮＤＰ（Ｍｏｄｉｆｉｅｄ）ＡＣＫについてＤｕｒａｔｉｏｎ  Ｉｎｄｉｃａｔｉｏｎフィールドを１に、Ｄｕｒａｔｉｏｎフィールドを０に設定することによって、シグナリングされ得る。特定の態様によれば、ＮＤＰ  ＢｌｏｃｋＡｃｋの受信は、Ｎｏ  Ｒｅｓｐｏｎｓｅの暗黙の指示であり得る。
【００５３】
[0061]図７は、本明細書に提供の典型的なルールによる典型的なスピードフレーム交換７００を示している。図７に示されるように、７０４において、ＳＴＡ（例えば、Ｓ１Ｇ  ＡＰ）は、７０２において別のＳＴＡから受信されたＮＤＰ  ＰＳ−Ｐｏｌｌフレームへの応答として送信されるＮＤＰ  Ｍｏｄｉｆｉｅｄ  ＡＣＫフレームによってＳＦ交換を開始し得る。図７に示されるように、ＮＤＰ  Ｍｏｄｉｆｉｅｄ  ＡＣＫフレームは、非ゼロの値に設定（例えば、ＭｏｒｅＤａｔａビットは１に設定され得る）されたアップリンクデータ指示（ＵＤＩ）フィールドを有し得る。特定の態様によれば、ロングレスポンスのレスポンス指示はまた、ロングレスポンスを誘発する（eliciting）ＰＰＤＵ内のロングレスポンス指示と共にＱｏＳ制御フィールド内のＭｏｒｅ  ＰＰＤＵ／逆方向グラント（ＲＤＧ）フィールドを１に設定することによって、逆方向プロトコルのために使用され得る。特定の態様によれば、このＰＰＤＵを送信するＳＴＡ（例えば、Ｓ１Ｇ  ＡＰ）は、ＳＦイニシエータ（ｉｎｉｔｉａｔｏｒ）（ＢＤＴイニシエータとも称される）と称され得る。
【００５４】
[0062]次に、１つ以上のＰＰＤＵ（例えば、ＳＦ応答バースト）は、ＳＦイニシエータによって送信されたＰＰＤＵにおいて指定された（addressed）Ｓ１Ｇ  ＳＴＡによって送信され得る。ＳＦ応答バーストを送信するＳ１Ｇ  ＳＴＡは、一般に、ＳＦレスポンダ（ｒｅｓｐｏｎｄｅｒ）（ＢＤＴレスポンダとも称される）と称される。例えば、図７に示されるとおり、７０６〜７１４において、ＳＴＡおよびＡＰ（ＳＦイニシエータ）は、送るべきさらなるデータがなくなるまで、ＰＰＤＵを交換し得る。例えば、７０６において、ＳＴＡは、ＳＴＡが送信すべきさらなるデータを有していることを示すように設定されたＭｏｒｅＤａｔａビットと、１１に設定されたＡＣＫ指示とを有するデータを、ＡＰに送り得る。７０８において、ＡＰは、同じように応答し得る。７１０において、ＳＴＡは、別のＰＰＤＵをＡＰに送信し得るが、ＳＴＡが送るべきデータをもはや有していないことがあるため、ＭｏｒｅＤａｔａビットは０に設定され得る。７１２において、ＡＰは、ＰＰＤＵをＳＴＡに送り得るが、ＡＰが依然として送るべきさらなるデータを有している可能性があるため、ＭｏｒｅＤａｔａビットは１に設定され得、その後に７１４において、ＡＰはその最後のデータをＳＴＡに送信し、ＰＰＤＵは０に設定されたＭｏｒｅＤａｔａビットを有し得る。
【００５５】
[0063]特定の態様によれば、ＳＦ応答バーストの最後（または、唯一）のＰＰＤＵは、イミディエイト（ＮＤＰ）ＢｌｏｃｋＡｃｋまたは（ＮＤＰ）Ａｃｋフレームである応答が所望される任意のＭＰＤＵを含み得る。この場合、ＳＦイニシエータは、その最後のＰＰＤＵとしてイミディエイトＢｌｏｃｋＡＣＫまたはＡＣＫフレームまたはＮＤＰ  ＡＣＫまたはＮＤＰ  ＢｌｏｃｋＡＣＫを含むＰＰＤＵを送信し得る。特定の態様によれば、ＰＰＤＵは、ＳＦレスポンダによるイミディエイト応答が予想されない場合に、Ｎｏ  Ｒｅｓｐｏｎｓｅに設定されたＲｅｓｐｏｎｓｅ  Ｉｎｄｉｃａｔｉｏｎを有し得る。あるいは、ＰＰＤＵは、ＳＦレスポンダによるイミディエイトＮＤＰ応答が予想される場合に、ＮＤＰ  Ｒｅｓｐｏｎｓｅに設定されたＲｅｓｐｏｎｓｅ  Ｉｎｄｉｃａｔｉｏｎを有し得る。あるいは、ＰＰＤＵは、ＳＦレスポンダによるイミディエイトＡＣＫまたはＢｌｏｃｋＡＣＫフレームが予想される場合に、Ｎｏｒｍａｌ  Ｒｅｓｐｏｎｓｅに設定されたＲｅｓｐｏｎｓｅ  Ｉｎｄｉｃａｔｉｏｎを有し得る。あるいは、ＰＰＤＵは、ＰＰＤＵが別のＳＦ交換シーケンスを開始する場合に、Ｌｏｎｇ  Ｒｅｓｐｏｎｓｅに設定されたＲｅｓｐｏｎｓｅ  Ｉｎｄｉｃａｔｉｏｎを有し得る。
【００５６】
[0064]特定の態様によれば、ＳＦイニシエータは、単一の送信機会（ＴＸＯＰ）またはサービス期間（ＳＰ）内に複数のＳＦ交換シーケンスを含み得る。特定の態様によれば、非ＴＸＯＰホルダＳ１Ｇ  ＳＴＡ（a non-TXOP holder S1G STA）が、１に設定されたＭｏｒｅＤａｔａフィールドを有していた誘発ＰＰＤＵ（an eliciting PPDU）へのイミディエイト応答を送り得る。イミディエイト応答は、Ｌｏｎｇ  Ｒｅｓｐｏｎｓｅに設定されたＲｅｓｐｏｎｓｅ  Ｉｎｄｉｃａｔｉｏｎを有し得る。あるいは、誘発ＰＰＤＵがピアＳ１Ｇ  ＳＴＡ（例えば、ＴＸＯＰホルダでないＳＴＡ）から最も最近受信されたフレーム内に０に設定されたＭｏｒｅＤａｔａフィールドを含む場合、ＳＦレスポンダは、イミディエイト応答においてＲｅｓｐｏｎｓｅ  ＩｎｄｉｃａｔｉｏｎをＬｏｎｇ  Ｒｅｓｐｏｎｓｅに設定しないことがある。代わりに、ＳＦレスポンダは、Ｒｅｓｐｏｎｓｅ  ＩｎｄｉｃａｔｉｏｎをＮｏ  Ｒｅｓｐｏｎｓｅに設定し得る。０に設定されたＭｏｒｅＤａｔａフィールドおよびＮｏｒｍａｌ  Ｒｅｓｐｏｎｓｅに設定されたＲｅｓｐｏｎｓｅ  Ｉｎｄｉｃａｔｉｏｎを有した誘発ＰＰＤＵへのイミディエイト応答を送る非ＴＸＯＰホルダＳ１Ｇ（ピア（peer））ＳＴＡは、Ｎｏ  ＲｅｓｐｏｎｓｅへのＲｅｓｐｏｎｓｅ  Ｉｎｄｉｃａｔｉｏｎを有する（ＮＤＰ）ＡＣＫフレームまたはＢｌｏｃｋＡＣＫフレームを送り得る。
【００５７】
[0065]特定の態様によれば、ＳＦイニシエータがＬｏｎｇ  Ｒｅｓｐｏｎｓｅに設定されたＲｅｓｐｏｎｓｅ  Ｉｎｄｉｃａｔｉｏｎを有する誘発フレームを送信した後で、ＳＦイニシエータは、ＳＦイニシエータが、ＡＣＫＴｉｍｅｏｕｔ値の満了前に請求された応答を受信していない場合に、（ＮＤＰ）競合なし（ＣＦ：contention free）−Ｅｎｄフレームを送信し得る。
【００５８】
[0066]特定の態様によれば、ＴＸＯＰは切り詰められ（be truncated）得る。例えば、ＴＸＯＰホルダは、Ｌｏｎｇ  Ｒｅｓｐｏｎｓｅ指示の応答においてＡＣＫを受信した後にＰＰＤＵを送り得る。しかしながら、ＳＴＡＳにおいてＢＵが存在しない場合、ＳＴＡはＣＦ−Ｅｎｄを送り得る。Ｌｏｎｇ  Ｒｅｓｐｏｎｓｅへのレスポンダは、Ｎｏ  Ｒｅｓｐｏｎｓｅに設定されたＲｅｓｐｏｎｓｅ  Ｉｎｄｉｃａｔｉｏｎを有し得ないＡＣＫを送り得る。さらに、Ｒｅｓｐｏｎｓｅ  Ｉｎｄｉｃａｔｉｏｎは、最も最近受信されたＰＰＤＵが１に設定されたＭｏｒｅＤａｔａビットを有しなければ、Ｌｏｎｇ  Ｒｅｓｐｏｎｓｅに設定されなくてよい。
【００５９】
[0067]特定の態様によれば、非ＡＰ  ＳＴＡは、この非ＡＰ  ＳＴＡがＡＰによって送られた１に設定されたＭｏｒｅＤａｔａフィールドを有するフレームの意図された受信者（intended receiver）である場合に、現在のＴＸＯＰの終わりまでＡｗａｋｅ状態のままであり得る。特定の態様によれば、非ＡＰ  ＳＴＡは、ひとたびそれがＡＰによって送られた０に設定されたＭｏｒｅＤａｔａフィールドを有するフレームの意図された受信者となった場合に、Ｄｏｚｅ状態に移行し得る。
【００６０】
[0068]図８は、本開示の特定の態様によるワイヤレス通信のための典型的な動作８００を示している。動作８００は、例えばイニシエータ（例えば、スピードフレーム交換を開始するＳＴＡまたはＡＰ）によって実行され得る。動作８００は、８０２において、装置とデバイス（例えば、ＳＦレスポンダ）との間で交換されているフレームのシーケンスのうちのフレーム（例えば、スピードフレーム交換の一部）のフィールド（例えば、応答指示（ｒｅｓｐｏｎｓｅ  ｉｎｄｉｃａｔｉｏｎ）フィールド）の少なくとも１つのビットの値によって、装置がフレームのシーケンスの後続の交換を開始しているか否かを示すことによって始まり得る。
【００６１】
[0069]特定の態様によれば、応答指示フィールドの少なくとも１つのビットの値は、イニシエータが後続のスピードフレーム交換を開始していることを示すためにＬｏｎｇ  Ｒｅｓｐｏｎｓｅに対応する値に設定され得る。特定の態様によれば、応答指示フィールドの少なくとも１つのビットは、１に設定されたＭｏｒｅＤａｔａフィールドを有する先行のフレームに応答してＬｏｎｇ  Ｒｅｓｐｏｎｓｅに対応する値に設定され得る。特定の態様によれば、応答指示フィールドの少なくとも１つのビットの値は、イニシエータが後続のスピードフレーム交換を開始していないことを示すために、固定された持続時間を有する応答のタイプに対応する値に設定され得る。特定の態様によれば、応答指示フィールドの少なくとも１つのビットは、０に設定されたＭｏｒｅＤａｔａフィールドを有する先行のフレームに応答して決定論的な（deterministic）持続時間を有する応答のタイプに対応する値に設定され得る。特定の態様によれば、応答指示フィールドの少なくとも１つのビットの値は、装置が後続のスピードフレーム交換を開始していないことを示すために、Ｎｏ  Ｒｅｓｐｏｎｓｅ、ＮＤＰ  Ｒｅｓｐｏｎｓｅ、またはＮｏｒｍａｌ  Ｒｅｓｐｏｎｓｅのうちの少なくとも１つに対応する値に設定され得る。
【００６２】
[0070]８０４において、イニシエータは、フレームをデバイスに送信し得る。
【００６３】
[0071]図９は、レスポンダ（例えば、スピードフレーム交換を開始するデバイスに応答するＳＴＡまたはＡＰ）によって実行され得る典型的な動作９００を示している。動作９００は、９０２において、装置とデバイス（例えば、ＳＦイニシエータ）との間で交換されているフレームのシーケンスのうちのフレーム（例えば、スピードフレーム交換の一部）を受信することによって始まる。
【００６４】
[0072]９０４において、レスポンダは、フレームのフィールド（例えば、応答指示フィールド）の少なくとも１つのビットの値により、デバイスがフレームのシーケンスの後続の交換を開始しているか否かを決定し得る。
【００６５】
[0073]いくつかの場合、応答指示フィールドのビットであり得る少なくとも１つのビットの値は、装置が後続のスピードフレーム交換を開始していることを示すためにＬｏｎｇ  Ｒｅｓｐｏｎｓｅに対応する値に設定される。いくつかの場合、応答指示フィールドの少なくとも１つのビットの値は、装置が後続のスピードフレーム交換を開始していないことを示すために決定論的な持続時間を有する応答のタイプに対応する値に設定される。例えば、応答指示フィールドの少なくとも１つのビットの値は、装置が後続のスピードフレーム交換を開始していないことを示すために、Ｎｏ  Ｒｅｓｐｏｎｓｅ、ＮＤＰ  Ｒｅｓｐｏｎｓｅ、またはＮｏｒｍａｌ  Ｒｅｓｐｏｎｓｅのうちの少なくとも１つに対応する値に設定され得る。
【００６６】
[0074]上述の方法の種々の動作は、対応する機能を実行することができる任意の適切な手段によって実行され得る。手段は、これらに限られるわけではないが回路、特定用途向け集積回路（ＡＳＩＣ）、またはプロセッサを含む、種々のハードウェアおよび／または（１つまたは複数の）ソフトウェア構成要素および／または（１つまたは複数の）モジュールを含み得る。一般に、図面に示される動作が存在する場合、それらの動作は、同様の番号が付される対応する同等のミーンズプラスファンクション（ｍｅａｎｓ−ｐｌｕｓ−ｆｕｎｃｔｉｏｎ）構成要素を有し得る。例えば、図８および９に示される動作８００および９００は、図８Ａおよび９Ａに示される手段８００Ａおよび９００Ａに対応する。
【００６７】
[0075]例えば、送信するための手段は、図２に示されるアクセスポイント１１０の送信機（例えば、トランシーバ２２２）および／または（１つまたは複数の）アンテナ２２４、図２に示されるユーザ端末１２０の送信機（例えば、トランシーバ２５４）および／または（１つまたは複数の）アンテナ２５２、あるいは図３に示される送信機３１０および／または（１つまたは複数の）アンテナ３１６を備え得る。受信するための手段は、図２に示されるアクセスポイント１１０の受信機（例えば、トランシーバ２２２）および／または（１つまたは複数の）アンテナ２２４、図２に示されるユーザ端末１２０の受信機（例えば、トランシーバ２５４）および／または（１つまたは複数の）アンテナ２５２、あるいは図３に示される受信機３１２および／または（１つまたは複数の）アンテナ３１６を備え得る。処理するための手段、決定するための手段、および／または示すための手段は、図２に示したアクセスポイント１１０のＲＸデータプロセッサ２４２、ＴＸデータプロセッサ２１０、および／またはコントローラ２３０、図２に示したユーザ端末１２０のＲＸデータプロセッサ２７０、ＴＸデータプロセッサ２８８、および／またはコントローラ２８０、あるいは図３に描いたプロセッサ３０４および／またはＤＳＰ３２０などの１つ以上のプロセッサを含み得る処理システムを備え得る。
【００６８】
[0076]特定の態様によれば、このような手段は、種々のアルゴリズムを実行する（例えば、ハードウェアにて実行し、あるいはソフトウェアインストラクションを実行することによって実行する）ことによって対応する機能を実行するように構成された処理システムによって実現され得る。例えば、後続のスピードフレーム交換が開始されるべきか否かを示すように１つ以上のビットを設定するためのアルゴリズムは、入力として、このような交換によって送信されるべきさらなるデータが存在するか否かを示す変数をとり得る。同様に、イニシエータデバイスが後続のスピードフレーム交換を開始しているか否かを決定するためのアルゴリズムは、それを示すための値に設定された１つ以上のビットを、入力として受信し得る。
【００６９】
[0077]本明細書において使用されるとき、用語「決定する（determining）」は、幅広くさまざまな動作を包含する。例えば、「決定する（determining）」は、計算する（calculating）、演算する（computing）、処理する（processing）、導出する（deriving）、調査する（investigating）、参照する（looking up）（例えば、表、データベース、または別のデータ構造内を参照する）、確かめる（ascertaining）、などを含み得る。また、「決定する（determining）」は、受信する（receiving）（例えば、情報を受信する）、アクセスする（accessing）（例えば、メモリ内のデータにアクセスする）、などを含み得る。また、「決定する（determining）」は、解決する（resolving）、選択する（selecting）、選ぶ（choosing）、確立する（establishing）、などを含み得る。
【００７０】
[0078]本明細書において使用されるとき、アイテムのリスト「のうちの少なくとも１つ」に言及するフレーズは、単一のメンバを含むこれらのアイテムの任意の組み合わせを指す。例として、「ａ、ｂ、またはｃのうちの少なくとも１つ」は、ａ、ｂ、ｃ、ａとｂ、ａとｃ、ｂとｃ、およびａとｂとｃをカバーするように意図される。
【００７１】
[0079]本開示に関連して説明される種々の例示の論理ブロック、モジュール、および回路は、汎用のプロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルな論理デバイス（ＰＬＤ）、ディスクリートなゲートまたはトランジスタ論理、ディスクリートなハードウェア構成要素、あるいは本明細書に記載の機能を実行するように設計されたこれらの任意の組み合わせによって実施または実行され得る。汎用のプロセッサは、マイクロプロセッサであり得るが、代案においては、プロセッサが、任意の商業的に利用可能なプロセッサ、コントローラ、マイクロコントローラ、または状態機械であり得る。プロセッサは、例えばＤＳＰとマイクロプロセッサとの組み合わせ、複数のマイクロプロセッサ、ＤＳＰコアと併せた１つ以上のマイクロプロセッサ、または任意の他のこのような構成など、コンピュータデバイスの組み合わせとしても実現され得る。
【００７２】
[0080]本開示に関連して説明される方法またはアルゴリズムのステップは、ハードウェア、プロセッサによって実行されるソフトウェアモジュール、または両者の組み合わせにて直接的に具現化され得る。ソフトウェアモジュールは、公知の任意の形態の記憶媒体に存在し得る。使用され得る記憶媒体のいくつかの例は、ランダムアクセスメモリ（ＲＡＭ）、読み取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭ、などを含む。ソフトウェアモジュールは、単一のインストラクションまたは多数のインストラクションを備え得、いくつかの異なるコードセグメントにわたって、異なるプログラムの間で、および複数の記憶媒体を横切って分散され得る。記憶媒体は、プロセッサが、記憶媒体から情報の読み出すことおよび記憶媒体に情報を書き込むことができるように、プロセッサに結合され得る。代案においては、記憶媒体はプロセッサに一体化され得る。
【００７３】
[0081]本明細書に開示の方法は、記載の方法を達成するための１つ以上のステップまたは動作を備える。方法のステップおよび／または動作は、特許請求の範囲の技術的範囲から逸脱することなく互いに入れ換えられ得る。換言すると、ステップまたは動作の特定の順序が指定されない限り、特定のステップおよび／または動作の順序および／または使用は、特許請求の範囲の技術的範囲から逸脱することなく変更され得る。
【００７４】
[0082]上述の機能は、ハードウェア、ソフトウェア、ファームウェア、またはこれらの任意の組み合わせにおいて実現され得る。ハードウェアにて実現される場合、典型的なハードウェアの構成は、ワイヤレスノードにおいて処理システムを備え得る。処理システムは、バスアーキテクチャを備えて実現され得る。バスは、処理システムの特定の用途および全体としての設計の制約事項に応じて、任意の数の相互接続バスおよびブリッジを含み得る。バスは、プロセッサ、機械読取可能媒体、およびバスインターフェイスを含む種々の回路を共にリンクし（link）得る。バスインターフェイスは、とりわけネットワークアダプタをバスを介して処理システムに接続するために使用され得る。ネットワークアダプタは、ＰＨＹ層の信号処理機能を実現するために使用され得る。ユーザ端末１２０（図１を参照）の場合、ユーザインターフェイス（例えば、キーパッド、ディスプレイ、マウス、ジョイスティック、など）も、バスに接続され得る。バスはまた、タイミングソース、周辺機器、電圧レギュレータ、電力管理回路、など、当技術分野において周知である種々の他の回路に接続し得、したがってこれ以上は説明されない。
【００７５】
[0083]プロセッサは、バス、および機械読取可能媒体に記憶されたソフトウェアの実行を含む一般的な処理の管理を担当し得る。プロセッサは、１つ以上の汎用および／または専用のプロセッサにて実現され得る。例は、マイクロプロセッサ、マイクロコントローラ、ＤＳＰプロセッサ、およびソフトウェアを実行することができる他の回路を含む。ソフトウェアは、ソフトウェア、ファームウェア、ミドルウェア、マイクロコード、またはハードウェア記述言語、または他のやり方のいずれで呼ばれるにせよ、インストラクション、データ、またはそれらの任意の組み合わせを意味するものと広く解釈されるべきである。機械読取可能媒体は、例として、ＲＡＭ（ランダムアクセスメモリ）、フラッシュメモリ、ＲＯＭ（読み取り専用メモリ）、ＰＲＯＭ（プログラマブル読み取り専用メモリ）、ＥＰＲＯＭ（消去可能なプログラマブル読み取り専用メモリ）、ＥＥＰＲＯＭ（電気的に消去可能なプログラマブル読み取り専用メモリ）、レジスタ、磁気ディスク、光ディスク、ハードドライブ、または任意の他の適切な記憶媒体、あるいはこれらの任意の組み合わせを含み得る。機械読取可能媒体は、コンピュータプログラム製品内に具現化され得る。コンピュータプログラム製品は、パッケージング材料を備えることができる。
【００７６】
[0084]ハードウェアインプリメンテーションにおいては、機械読取可能媒体は、プロセッサとは別の処理システムの一部であり得る。しかしながら、当業者は、機械読取可能媒体またはこの任意の一部分は、処理システムの外部にあり得ることを、容易に理解できるであろう。例として、機械読取可能媒体は、いずれもバスインターフェイスを通してプロセッサよってアクセスされ得る送信線、データによって変調された搬送波、および／またはワイヤレスノードとは別のコンピュータ製品を含み得る。これに代え、あるいはこれに加えて、機械読取可能媒体またはこの任意の一部分は、キャッシュおよび／または一般的なレジスタファイルを有し得る場合など、プロセッサに一体化され得る。
【００７７】
[0085]処理システムは、プロセッサ機能を提供する１つ以上のマイクロプロセッサと、機械読取可能媒体の少なくとも一部分を提供する外部メモリとを有し、すべてが外部バスアーキテクチャを通して他のサポーティング回路（supporting circuitry）と共にリンクされる汎用の処理システムとして構成され得る。あるいは、処理システムは、プロセッサと、バスインターフェイスと、アクセス端末の場合のユーザインターフェイスと、さぽーティング回路と、機械読取可能媒体の少なくとも一部分とを単一のチップへと統合して備えるＡＳＩＣ（特定用途向け集積回路）にて実現でき、もしくは１つ以上のＦＰＧＡ（フィールドプログラマブルゲートアレイ）、ＰＬＤ（プログラマブル論理デバイス）、コントローラ、状態機械、ゲート論理、ディスクリートなハードウェア構成要素、または任意の他の適切な回路、あるいは本明細書を通して記載の種々の機能を実行することができる回路の任意の組み合わせにて実現され得る。当業者は、特定の用途および全体としてのシステムに課せられる全体的な設計の制約に応じて、処理システムの上述の機能を実現する最良の方法を、理解できるであろう。
【００７８】
[0086]機械読取可能媒体は、いくつかのソフトウェアモジュールを備え得る。ソフトウェアモジュールは、プロセッサによって実行されたときに処理システムに種々の機能を実行させるインストラクションを含む。ソフトウェアモジュールは、送信モジュールおよび受信モジュールを含み得る。各々のソフトウェアモジュールは、単一の記憶装置に存在し得、あるいは複数の記憶装置に分散され得る。例として、ソフトウェアモジュールは、トリガリングイベントが生じたときにハードドライブからＲＡＭ内にロードされ得る。ソフトウェアモジュールの実行の間、プロセッサは、アクセス速度の向上のためにインストラクションの一部をキャッシュ内にロードし得る。１つ以上のキャッシュラインは、次に、プロセッサによる実行のために一般的なレジスタファイル内にロードされ得る。以下でのソフトウェアモジュールの機能に言及するとき、このような機能が、このソフトウェアモジュールからのインストラクションの実行時にプロセッサによって実現されることを、理解できるであろう。
【００７９】
[0087]ソフトウェアにて実現される場合、これらの機能は、コンピュータ読取可能媒体上の１つ以上のインストラクションまたはコードとして記憶またはそれを介して送信され得る。コンピュータ読取可能媒体は、或る場所から他の場所へのコンピュータプログラムの移動（transfer）を促進する任意の媒体を含むコンピュータ記憶媒体および通信媒体の両方を含む。記憶媒体は、コンピュータによってアクセスされ得る任意の利用可能な媒体であり得る。これらに限られるわけではないが、例として、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶装置、あるいは所望のプログラムコードをインストラクションまたはデータ構造の形態で搬送または記憶するために使用され得、コンピュータによるアクセスされ得る任意の他の媒体を備えることができる。また、何らかの接続も、コンピュータ読取可能媒体と適切に称される。例えば、ソフトウェアが、ウェブサイト、サーバ、または他のリモートソースから、同軸ケーブル、光ファイバケーブル、ツイストペア、デジタル加入者線（ＤＳＬ）、あるいは赤外線（ＩＲ）、無線、およびマイクロ波などのワイヤレス技術を使用して送信される場合、同軸ケーブル、光ファイバケーブル、ツイストペア、ＤＳＬ、あるいは赤外線、無線、およびマイクロ波などのワイヤレス技術は、媒体の定義に含まれる。本明細書において使用されるとき、ディスク（ｄｉｓｋおよびｄｉｓｃ）は、コンパクトディスク（ＣＤ）、レーザーディスク（登録商標）、光ディスク、デジタル多用途ディスク（ＤＶＤ）、フロッピー（登録商標）ディスク、およびＢｌｕ−ｒａｙ（登録商標）ディスクを含み、ここでディスク（ｄｉｓｋ）が、通常はデータを磁気的に再生する一方で、ディスク（ｄｉｓｃ）は、データをレーザで光学的に再生する。したがって、いくつかの態様において、コンピュータ読取可能媒体は、非一時的なコンピュータ読取可能媒体（例えば、有形の媒体）を備え得る。さらに、他の態様に関して、コンピュータ読取可能媒体は、一時的なコンピュータ読取可能媒体（例えば、信号）を備え得る。上記の組み合わせもまた、コンピュータ読取可能媒体の範囲内に含まれるべきである。
【００８０】
[0088]したがって、特定の態様は、本明細書に提示の動作を実行するためのコンピュータプログラム製品を備え得る。例えば、このようなコンピュータプログラム製品は、本明細書に記載の動作を実行するために１つ以上のプロセッサによって実行されることが可能であるインストラクションが保存（および／または、符号化）されたコンピュータ読取可能媒体を備え得る。特定の態様において、コンピュータプログラム製品は、パッケージング材料を含み得る。例えば、後続のスピードフレーム交換が開始されるべきか否かを示すように１つ以上のビットを設定するためのインストラクションは、入力として、このような交換によって伝送されるべきさらなるデータが存在するか否かを示す変数をとることができる。同様に、イニシエーティングデバイスが後続のスピードフレーム交換を開始しているか否かを決定するためのインストラクションは、それを示すための値に設定された１つ以上のビットを、入力として受信し得る。
【００８１】
[0089]さらに、本明細書に記載の方法および技術を実行するためのモジュールおよび／または他の適切な手段を、適用できる場合は、ユーザ端末および／または基地局によってダウンロードおよび／または他の方法で得ることができることを理解されるべきである。例えば、このような装置は、本明細書に記載の方法を実行するための手段の移動を促進するためにサーバに結合されることができる。あるいは、本明細書に記載の種々の方法は、記憶手段（例えば、ＲＡＭ、ＲＯＭ、コンパクトディスク（ＣＤ）またはフロッピーディスクなどの物理的な記憶媒体、など）によって提供されることができ、ユーザ端末および／または基地局は、記憶手段を装置に接続し、あるいは提供したときに、種々の方法を得ることができる。さらに、装置に本明細書に記載の方法および技術を提供するための任意の他の適切な技術が利用されることができる。
【００８２】
[0090]特許請求の範囲が、上述した正確な構成および構成要素に限られないことを、理解されるべきである。種々の修正、変更、および変形は、特許請求の範囲から逸脱することなく、上述した方法および装置の構成、動作、および詳細において、行われ得る。
以下に、本願出願の当初の特許請求の範囲に記載された発明を付記する。
［Ｃ１］
無線通信のための装置であって、
前記装置とデバイスとの間で交換されているフレームのシーケンスのうちのフレームのフィールドの少なくとも１つのビットの値によって、前記装置がフレームのシーケンスの後続の交換を開始しているか否かを示すように構成された処理システムと、
前記フレームを前記デバイスに送信するように構成された送信機と、を備える、装置。
［Ｃ２］
前記フィールドは、応答指示フィールドを備える、Ｃ１に記載の装置。
［Ｃ３］
前記フレームのシーケンスは、スピードフレーム交換の一部として交換されている、Ｃ１に記載の装置。
［Ｃ４］
前記処理システムは、前記応答指示フィールドの前記少なくとも１つのビットを、前記装置が前記後続の交換を開始していることを示すためにＬｏｎｇ  Ｒｅｓｐｏｎｓｅに関連付けられた値に設定するように構成され、
前記後続の交換は、スピードフレーム交換を備える、Ｃ２に記載の装置。
［Ｃ５］
前記処理システムは、前記応答指示フィールドの前記少なくとも１つのビットを、１に設定されたＭｏｒｅＤａｔａフィールドを有する先行のフレームに応答して前記装置が前記後続の交換を開始していることを示すためにＬｏｎｇ  Ｒｅｓｐｏｎｓｅに関連付けられた値に設定するように構成されている、Ｃ２に記載の装置。
［Ｃ６］
前記処理システムは、前記応答指示フィールドの前記少なくとも１つのビットを、前記装置が後続のスピードフレーム交換を開始していないことを示すために固定された持続時間を有する応答のタイプに関連付けられた値に設定するように構成されている、Ｃ２に記載の装置。
［Ｃ７］
前記処理システムは、前記応答指示フィールドの前記少なくとも１つのビットを、０に設定されたＭｏｒｅＤａｔａフィールドを有する先行のフレームに応答して前記装置が後続のスピードフレーム交換を開始していないことを示すために固定された持続時間を有する応答のタイプに関連付けられた値に設定するように構成されている、Ｃ２に記載の装置。
［Ｃ８］
前記処理システムは、前記応答指示フィールドの前記少なくとも１つのビットを、前記装置が後続のスピードフレーム交換を開始していないことを示すためにＮｏ  Ｒｅｓｐｏｎｓｅ、ヌルデータパケット（ＮＤＰ）Ｒｅｓｐｏｎｓｅ、またはＮｏｒｍａｌ  Ｒｅｓｐｏｎｓｅのうちの少なくとも１つに関連付けられた値に設定するように構成されている、Ｃ２に記載の装置。
［Ｃ９］
無線通信のための装置であって、
前記装置とデバイスとの間で交換されているフレームのシーケンスのうちのフレームを受信するように構成された受信機と、
前記フレームのフィールドの少なくとも１つのビットの値によって、前記デバイスがフレームのシーケンスの後続の交換を開始しているか否かを決定するように構成された処理システムと、を備える、装置。
［Ｃ１０］
前記処理システムは、
応答指示フィールドを備える前記フレームのシーケンスのうちの少なくとも１つのフレームを生成することと、
前記応答指示フィールドの少なくとも１つのビットを、前記少なくとも１つのフレームがバースト応答の最後のフレームである場合にはＩｍｍｅｄｉａｔｅ  Ｒｅｓｐｏｎｓｅに関連付けられた値に、または前記少なくとも１つのフレームが前記バースト応答の前記最後のフレームではない場合にはＮｏ  Ｒｅｓｐｏｎｓｅに関連付けられた値に、設定することと、を行うように構成され、
前記装置は、
前記少なくとも１つのフレームを前記デバイスに送信するように構成された送信機をさらに備える、Ｃ９に記載の装置。
［Ｃ１１］
装置による無線通信のための方法であって、
前記装置とデバイスとの間で交換されているフレームのシーケンスのうちのフレームのフィールドの少なくとも１つのビットの値によって、前記装置がフレームのシーケンスの後続の交換を開始しているか否かを示すことと、
前記フレームを前記デバイスに送信することと、を備える、方法。
［Ｃ１２］
前記フィールドは、応答指示フィールドを備える、Ｃ１１に記載の方法。
［Ｃ１３］
前記フレームのシーケンスは、スピードフレーム交換の一部として交換されている、Ｃ１１に記載の方法。
［Ｃ１４］
前記応答指示フィールドの前記少なくとも１つのビットを、前記装置が前記後続の交換を開始していることを示すためにＬｏｎｇ  Ｒｅｓｐｏｎｓｅに関連付けられた値に設定すること、をさらに備え、ここで
前記後続の交換は、スピードフレーム交換を備える、Ｃ１２に記載の方法。
［Ｃ１５］
前記応答指示フィールドの前記少なくとも１つのビットを、１に設定されたＭｏｒｅＤａｔａフィールドを有する先行のフレームに応答して前記装置が前記後続の交換を開始していることを示すためにＬｏｎｇ  Ｒｅｓｐｏｎｓｅに関連付けられた値に設定すること、
をさらに備える、Ｃ１２に記載の方法。
［Ｃ１６］
前記応答指示フィールドの前記少なくとも１つのビットを、前記装置が後続のスピードフレーム交換を開始していないことを示すために固定された持続時間を有する応答のタイプに関連付けられた値に設定すること、をさらに備える、Ｃ１２に記載の方法。
［Ｃ１７］
前記応答指示フィールドの前記少なくとも１つのビットを、０に設定されたＭｏｒｅＤａｔａフィールドを有する先行のフレームに応答して前記装置が後続のスピードフレーム交換を開始していないことを示すために固定された持続時間を有する応答のタイプに関連付けられた値に設定すること、をさらに備える、Ｃ１２に記載の方法。
［Ｃ１８］
前記応答指示フィールドの前記少なくとも１つのビットを、前記装置が後続のスピードフレーム交換を開始していないことを示すためにＮｏ  Ｒｅｓｐｏｎｓｅ、ヌルデータパケット（ＮＤＰ）Ｒｅｓｐｏｎｓｅ、またはＮｏｒｍａｌ  Ｒｅｓｐｏｎｓｅのうちの少なくとも１つに関連付けられた値に設定すること、をさらに備える、Ｃ１２に記載の方法。
［Ｃ１９］
装置による無線通信のための方法であって、
前記装置とデバイスとの間で交換されているフレームのシーケンスのうちのフレームを受信することと、
前記フレームのフィールドの少なくとも１つのビットの値によって、前記デバイスがフレームのシーケンスの後続の交換を開始しているか否かを決定することと、を備える、方法。
［Ｃ２０］
応答指示フィールドを備える前記フレームのシーケンスのうちの少なくとも１つのフレームを生成することと、
前記応答指示フィールドの少なくとも１つのビットを、前記少なくとも１つのフレームがバースト応答の最後のフレームである場合にはＩｍｍｅｄｉａｔｅ  Ｒｅｓｐｏｎｓｅに関連付けられた値に、または前記少なくとも１つのフレームが前記バースト応答の前記最後のフレームではない場合にはＮｏ  Ｒｅｓｐｏｎｓｅに関連付けられた値に、設定することと、
前記少なくとも１つのフレームを前記デバイスに送信することと、をさらに備える、Ｃ１９に記載の方法。
［Ｃ２１］
無線通信のための装置であって、
前記装置とデバイスとの間で交換されているフレームのシーケンスのうちのフレームのフィールドの少なくとも１つのビットの値によって、前記装置がフレームのシーケンスの後続の交換を開始しているか否かを示すための手段と、
前記フレームを前記デバイスに送信するための手段と、を備える、装置。
［Ｃ２２］
前記フィールドは、応答指示フィールドを備える、Ｃ２１に記載の装置。
［Ｃ２３］
前記フレームのシーケンスは、スピードフレーム交換の一部として交換されている、Ｃ２１に記載の装置。
［Ｃ２４］
前記応答指示フィールドの前記少なくとも１つのビットを、前記装置が前記後続の交換を開始していることを示すためにＬｏｎｇ  Ｒｅｓｐｏｎｓｅに関連付けられた値に設定するための手段、をさらに備え、ここで
前記後続の交換は、スピードフレーム交換を備える、Ｃ２２に記載の装置。
［Ｃ２５］
前記応答指示フィールドの前記少なくとも１つのビットを、１に設定されたＭｏｒｅＤａｔａフィールドを有する先行のフレームに応答して前記装置が前記後続の交換を開始していることを示すためにＬｏｎｇ  Ｒｅｓｐｏｎｓｅに関連付けられた値に設定するための手段、をさらに備える、Ｃ２２に記載の装置。
［Ｃ２６］
前記応答指示フィールドの前記少なくとも１つのビットを、前記装置が後続のスピードフレーム交換を開始していないことを示すために固定された持続時間を有する応答のタイプに関連付けられた値に設定すること、をさらに備える、Ｃ２２に記載の装置。
［Ｃ２７］
前記応答指示フィールドの前記少なくとも１つのビットを、０に設定されたＭｏｒｅＤａｔａフィールドを有する先行のフレームに応答して前記装置が後続のスピードフレーム交換を開始していないことを示すために固定された持続時間を有する応答のタイプに関連付けられた値に設定すること、をさらに備える、Ｃ２２に記載の装置。
［Ｃ２８］
前記応答指示フィールドの前記少なくとも１つのビットを、前記装置が後続のスピードフレーム交換を開始していないことを示すためにＮｏ  Ｒｅｓｐｏｎｓｅ、ヌルデータパケット（ＮＤＰ）Ｒｅｓｐｏｎｓｅ、またはＮｏｒｍａｌ  Ｒｅｓｐｏｎｓｅのうちの少なくとも１つに関連付けられた値に設定すること、をさらに備える、Ｃ２２に記載の装置。
［Ｃ２９］
無線通信のための装置であって、
前記装置とデバイスとの間で交換されているフレームのシーケンスのうちのフレームを受信するための手段と、
前記フレームのフィールドの少なくとも１つのビットの値によって、前記デバイスがフレームのシーケンスの後続の交換を開始しているか否かを決定するための手段と、を備える、装置。
［Ｃ３０］
応答指示フィールドを備える前記フレームのシーケンスのうちの少なくとも１つのフレームを生成するための手段と、
前記応答指示フィールドの少なくとも１つのビットを、前記少なくとも１つのフレームがバースト応答の最後のフレームである場合にはＩｍｍｅｄｉａｔｅ  Ｒｅｓｐｏｎｓｅに関連付けられた値に、または前記少なくとも１つのフレームが前記バースト応答の前記最後のフレームではない場合にはＮｏ  Ｒｅｓｐｏｎｓｅに関連付けられた値に、設定するための手段と、
前記少なくとも１つのフレームを前記デバイスに送信するための手段と、をさらに備える、Ｃ２９に記載の方法。
［Ｃ３１］
装置とデバイスとの間で交換されているフレームのシーケンスのうちのフレームのフィールドの少なくとも１つのビットの値によって、前記装置がフレームのシーケンスの後続の交換を開始しているか否かを示すことと、
前記フレームを前記デバイスに送信することと、
を行うためのインストラクションを記憶したコンピュータ読取可能媒体を備える、無線通信のためのコンピュータプログラム製品。
［Ｃ３２］
装置とデバイスとの間で交換されているフレームのシーケンスのうちのフレームを受信することと、
前記フレームのフィールドの少なくとも１つのビットの値によって、前記デバイスがフレームのシーケンスの後続の交換を開始しているか否かを決定することと、
を行うためのインストラクションを記憶したコンピュータ読取可能媒体を備える、無線通信のためのコンピュータプログラム製品。
［Ｃ３３］
アクセスポイント（ＡＰ）であって、
少なくとも１つのアンテナと、
前記ＡＰとデバイスとの間で交換されているフレームのシーケンスのうちのフレームのフィールドの少なくとも１つのビットの値によって、前記ＡＰがフレームのシーケンスの後続の交換を開始しているか否かを示すように構成された処理システムと、
前記フレームを前記少なくとも１つのアンテナを介して前記デバイスに送信するように構成された送信機と、を備える、ＡＰ。
［Ｃ３４］
ステーション（ＳＴＡ）であって、
少なくとも１つのアンテナと、
前記ＳＴＡとデバイスとの間で交換されているフレームのシーケンスのうちのフレームを前記少なくとも１つのアンテナを介して受信するように構成された受信機と、
前記フレームのフィールドの少なくとも１つのビットの値によって、前記デバイスがフレームのシーケンスの後続の交換を開始しているか否かを決定するように構成された処理システムと、を備える、ＳＴＡ。
【図１】
0006419824.tif 000002
【図２】
0006419824.tif 000003
【図３】
0006419824.tif 000004
【図４】
0006419824.tif 000005
【図５】
0006419824.tif 000006
【図６】
0006419824.tif 000007
【図７】
0006419824.tif 000008
【図８】
0006419824.tif 000009
【図８Ａ】
0006419824.tif 000010
【図９】
0006419824.tif 000011
【図９Ａ】
0006419824.tif 000012